(57)【要約】      （修正有）【課題】無線ＬＡＮシステム標準ＩＥＥＥ  ８０２．１１ａｈに従った、ワイヤレス通信システム内での１ＭＨｚの動作モードと２ＭＨｚの動作モードの共存のための、方法と装置とを提供する。【解決手段】第１のチャネル指定を有する第１のチャネルと第２のチャネル指定を有する第２のチャネルとでペア構成される複数のチャネルペアをスキャンすることと４０２、スキャンに基づいて、他の装置が動作していないオープンチャネルのセットを複数のチャネルペアから決定することと４０４、決定に基づいて、チャネル選択規則に従い一次チャネルを選択することと４０６、選択された一次チャネルを使用して送信する。【選択図】図４
2016048926.tif 000002
【特許請求の範囲】
【請求項１】
ワイヤレス通信のための装置であって、
下記を実施するように構成された処理システムと、
複数のチャネルペアをスキャンすること、ここにおいて、前記複数のチャネルペアの各々が、第１のチャネル指定を有する第１のチャネルと第２のチャネル指定を有する第２のチャネルとを備え、
いずれの他の装置も動作していない前記複数のチャネルペアからオープンチャネルのセットを、前記スキャンに基づいて、決定し、
前記決定に基づいて一次チャネルを選択すること、ここにおいて、前記選択は、
オープンチャネルの前記セットからの１つのメンバーが、前記第１のチャネル指定を有する場合、前記１つのメンバーを前記一次チャネルとして選択すること、
オープンチャネルの前記セットからのいずれのメンバーも前記第１のチャネル指定を有さない場合、前記一次チャネルとして、前記第２のチャネル指定を有するオープンチャネルの前記セットから１つのメンバーを選択すること、または、
オープンチャネルの前記セットが空のセットである場合、前記一次チャネルとして、前記複数のチャネルペアの１つから前記第１のチャネルを選択すること、
を備える、そして、
前記選択された一次チャネルを使用して送信するように構成された送信機と、
を備える上記装置。
【請求項２】
前記第１のチャネルおよび第２のチャネルの各々が約１ＭＨｚというチャネル幅を有し、前記複数のチャネルペアの各々が約２ＭＨｚという帯域幅を有する、請求項１に記載の装置。
【請求項３】
前記第１のチャネル指定がデフォルトチャネルを示し、前記第２のチャネル指定が非デフォルトチャネルを示す、請求項１に記載の装置。
【請求項４】
前記複数のチャネルペアの各々の中の前記第１のチャネルが、前記複数のチャネルペアの各々の中の前記第２のチャネルよりも下側の帯域幅を占有する、請求項１に記載の装置。
【請求項５】
前記複数のチャネルペアの各々において、前記第１のチャネルが奇数チャネルであり、前記第２のチャネルが偶数チャネルである、請求項１に記載の装置。
【請求項６】
前記複数のチャネルペアの１つの中の前記奇数チャネルまたは前記偶数チャネルで送信を受信するように構成される受信機をさらに備え、前記受信機が、前記複数のチャネルペアの同じ１つの中の前記奇数チャネルと前記偶数チャネルの両方で前記送信の受信を確認するように構成され、前記偶数チャネルが前記奇数チャネルよりも高い帯域幅を占有する、請求項５に記載の装置。
【請求項７】
前記選択された一次チャネルが前記第２のチャネル指定を有し、前記処理システムがさらに、
前記選択された一次チャネルと関連付けられるチャネルペアを使用して別の装置を検出し、
新たな一次チャネルを選択するように構成され、前記新たな一次チャネルの前記選択が、
前記チャネルペアの前記第１のチャネルを前記新たな一次チャネルとして選択すること、
オープンチャネルの前記セットの１つのメンバーが前記第１のチャネル指定を有する場合、前記１つのメンバーを前記新たな一次チャネルとしてオープンチャネルの前記セットから選択すること、
オープンチャネルの前記セットのいずれのメンバーも前記第１のチャネル指定を有さない場合、前記第２のチャネル指定を有する１つのメンバーを前記新たな一次チャネルとしてオープンチャネルの前記セットから選択すること、または、
オープンチャネルの前記セットが空である場合、前記第１のチャネルを前記新たな一次チャネルとして、他の装置によって使用されている前記チャネルペア以外の前記複数のチャネルペアの１つから選択することを備える、請求項１に記載の装置。
【請求項８】
前記処理システムが、検出されたエネルギーが閾値よりも低い、または閾値以下である、前記第１のチャネルと第２のチャネルのいずれかがオープンチャネルの前記セットに追加されるように、前記複数のチャネルペアの各々の前記第１のチャネルおよび第２のチャネルにおいてエネルギーを検出することによって、オープンチャネルの前記セットを決定するように構成される、請求項１に記載の装置。
【請求項９】
ワイヤレス通信のための方法であって、
複数のチャネルペアをスキャンする、ここにおいて、前記チャネルペアの各々が、第１のチャネル指定を有する第１のチャネルと第２のチャネル指定を有する第２のチャネルとを備える、
いずれの他の装置も動作していない前記複数のチャネルペアからオープンチャネルのセットを、前記スキャンに基づいて、決定することと、
前記決定に基づいて一次チャネルを選択すること、ここにおいて、前記選択は、
オープンチャネルの前記セットからの１つのメンバーが、前記第１のチャネル指定を有する場合、前記一次チャネルとして前記１つのメンバーを選択すること、
オープンチャネルの前記セットからのいずれのメンバーも前記第１のチャネル指定を有さない場合、前記一次チャネルとして前記第２のチャネル指定を有するオープンチャネルの前記セットから１つのメンバーを選択すること、または、
オープンチャネルの前記セットが空のセットである場合、前記一次チャネルとして前記複数のチャネルペアの１つから前記第１のチャネルを選択すること、
を備える、そして、
前記選択された一次チャネルを使用して送信することと、
を備える上記方法。
【請求項１０】
前記第１のチャネルおよび第２のチャネルの各々が約１ＭＨｚというチャネル幅を有し、前記複数のチャネルペアの各々が約２ＭＨｚという帯域幅を有する、請求項９に記載の方法。
【請求項１１】
前記第１のチャネル指定がデフォルトチャネルを示し、前記第２のチャネル指定が非デフォルトチャネルを示す、請求項９に記載の方法。
【請求項１２】
前記複数のチャネルペアの各々の中の前記第１のチャネルが、前記複数のチャネルペアの各々の中の前記第２のチャネルよりも下側の帯域幅を占有する、請求項９に記載の方法。
【請求項１３】
前記複数のチャネルペアの各々において、前記第１のチャネルが奇数チャネルであり、前記第２のチャネルが偶数チャネルである、請求項９に記載の方法。
【請求項１４】
前記複数のチャネルペアの１つの中の前記奇数チャネルまたは前記偶数チャネルで送信を受信することと、
前記複数のチャネルペアの同じ１つの中の前記奇数チャネルと前記偶数チャネルの両方で前記送信の受信を確認することとをさらに備え、前記偶数チャネルが前記奇数チャネルよりも高い帯域幅を占有する、請求項１３に記載の方法。
【請求項１５】
前記選択された一次チャネルと関連付けられるチャネルペアを使用して装置を検出することであって、前記選択された一次チャネルが前記第２のチャネル指定を有する、検出することと、
前記チャネルペアの前記第１のチャネルを新たな一次チャネルとして選択すること、
オープンチャネルの前記セットの１つのメンバーが前記第１のチャネル指定を有する場合、前記１つのメンバーを前記新たな一次チャネルとしてオープンチャネルの前記セットから選択すること、
オープンチャネルの前記セットのいずれのメンバーも前記第１のチャネル指定を有さない場合、前記第２のチャネル指定を有する１つのメンバーを前記新たな一次チャネルとしてオープンチャネルの前記セットから選択すること、または、
オープンチャネルの前記セットが空である場合、前記第１のチャネルを前記新たな一次チャネルとして、他の装置によって使用されている前記チャネルペア以外の前記複数のチャネルペアの１つから選択すること
によって前記新たな一次チャネルを選択することとをさらに備える、請求項９に記載の方法。
【請求項１６】
オープンチャネルの前記セットを決定することが、検出されたエネルギーが閾値よりも低い、または前記閾値以下である、前記第１のチャネルと第２のチャネルのいずれかがオープンチャネルの前記セットに追加されるように、前記複数のチャネルペアの各々の前記第１のチャネルおよび第２のチャネルにおいてエネルギーを検出することを備える、請求項９に記載の方法。
【請求項１７】
ワイヤレス通信のための装置であって、
複数のチャネルペアをスキャンするための手段と、ここにおいて、前記チャネルペアの各々は、第１のチャネル指定を有する第１のチャネルと第２のチャネル指定を有する第２のチャネルとを備える、
いずれの他の装置も動作していない前記複数のチャネルペアからオープンチャネルのセットを、前記スキャンに基づいて、決定するための手段と、
前記決定に基づいて一次チャネルを選択するための手段と、ここにおいて、前記選択は、
オープンチャネルの前記セットからの１つのメンバーが、前記第１のチャネル指定を有する場合、前記一次チャネルとして前記１つのメンバーを選択すること、
オープンチャネルの前記セットからいずれのメンバーも前記第１のチャネル指定を有さない場合、前記一次チャネルとして前記第２のチャネル指定を有するオープンチャネルの前記セットから１つのメンバーを選択すること、または、
オープンチャネルの前記セットが空のセットである場合、前記一次チャネルとして前記複数のチャネルペアの１つから前記第１のチャネルを選択すること、
を備える、そして、
前記選択された一次チャネルを使用して送信するための手段と、
を備える上記装置。
【請求項１８】
前記第１のチャネルおよび第２のチャネルの各々が約１ＭＨｚというチャネル幅を有し、前記複数のチャネルペアの各々が約２ＭＨｚという帯域幅を有する、請求項１７に記載の装置。
【請求項１９】
前記第１のチャネル指定がデフォルトチャネルを示し、前記第２のチャネル指定が非デフォルトチャネルを示す、請求項１７に記載の装置。
【請求項２０】
前記複数のチャネルペアの各々の中の前記第１のチャネルが、前記複数のチャネルペアの各々の中の前記第２のチャネルよりも下側の帯域幅を占有する、請求項１７に記載の装置。
【請求項２１】
前記複数のチャネルペアの各々において、前記第１のチャネルが奇数チャネルであり、前記第２のチャネルが偶数チャネルである、請求項１７に記載の装置。
【請求項２２】
前記複数のチャネルペアの１つの中の前記奇数チャネルまたは前記偶数チャネルで送信を受信するための手段をさらに備え、前記受信するための手段が、前記複数のチャネルペアの同じ１つの中の前記奇数チャネルと前記偶数チャネルの両方で前記送信の受信を確認するように構成され、前記偶数チャネルが前記奇数チャネルよりも高い帯域幅を占有する、請求項２１に記載の装置。
【請求項２３】
前記選択された一次チャネルと関連付けられるチャネルペアを使用して別の装置を検出するための手段であって、前記選択された一次チャネルが前記第２のチャネル指定を有する、手段と、
新たな一次チャネルを選択するための手段とをさらに備え、前記新たな一次チャネルの前記選択が、
前記チャネルペアの前記第１のチャネルを前記新たな一次チャネルとして選択すること、
オープンチャネルの前記セットの１つのメンバーが前記第１のチャネル指定を有する場合、前記１つのメンバーを前記新たな一次チャネルとしてオープンチャネルの前記セットから選択すること、
オープンチャネルの前記セットのいずれのメンバーも前記第１のチャネル指定を有さない場合、前記第２のチャネル指定を有する１つのメンバーを前記新たな一次チャネルとしてオープンチャネルの前記セットから選択すること、または、
オープンチャネルの前記セットが空である場合、前記第１のチャネルを前記新たな一次チャネルとして、他の装置によって使用されている前記チャネルペア以外の前記複数のチャネルペアの１つから選択することを備える、請求項１７に記載の装置。
【請求項２４】
検出されたエネルギーが閾値よりも低い、または前記閾値以下である、前記第１のチャネルと第２のチャネルのいずれかがオープンチャネルの前記セットに追加されるように、オープンチャネルの前記セットを決定するための前記手段が、前記複数のチャネルペアの各々の前記第１のチャネルおよび第２のチャネルにおいてエネルギーを検出するように構成される、請求項１７に記載の装置。
【請求項２５】
コンピュータ可読媒体を備える、ワイヤレス通信のためのコンピュータプログラム製品であって、前記コンピュータ可読媒体が、
複数のチャネルペアをスキャンすること、ここにおいて、前記チャネルペアの各々が、第１のチャネル指定を有する第１のチャネルと第２のチャネル指定を有する第２のチャネルとを備え、
いずれの他の装置も動作していない前記複数のチャネルペアからオープンチャネルのセットを、前記スキャンに基づいて、決定すること、
前記決定に基づいて一次チャネルを選択すること、ここにおいて、前記選択は、
オープンチャネルの前記セットからの１つのメンバーが、前記第１のチャネル指定を有する場合、前記一次チャネルとして前記１つのメンバーを選択すること、
オープンチャネルの前記セットからのいずれのメンバーも前記第１のチャネル指定を有さない場合、前記一次チャネルとして前記第２のチャネル指定を有するオープンチャネルの前記セットから１つのメンバーを選択すること、または、
オープンチャネルの前記セットが空のセットである場合、前記一次チャネルとして前記複数のチャネルペアの１つから前記第１のチャネルを選択すること、
を備え、そして、
前記選択された一次チャネルを使用して送信することを実行可能な命令を備える、
上記コンピュータプログラム製品。
【請求項２６】
ワイヤレス通信のためのアクセスポイントであって、
少なくとも１つのアンテナと、
複数のチャネルペアをスキャンし、ここにおいて、前記チャネルペアの各々が、第１のチャネル指定を有する第１のチャネルと第２のチャネル指定を有する第２のチャネルとを備える、
いずれの他の装置も動作していない前記複数のチャネルペアからオープンチャネルのセットを、前記スキャンに基づいて、決定し、
前記決定に基づいて一次チャネルを選択する、ここにおいて、前記選択は、
オープンチャネルの前記セットからの１つのメンバーが、前記第１のチャネル指定を有する場合、前記一次チャネルとして前記１つのメンバーを選択すること、
オープンチャネルの前記セットからのいずれのメンバーも前記第１のチャネル指定を有さない場合、前記一次チャネルとして前記第２のチャネル指定を有するオープンチャネルの前記セットから１つのメンバーを選択すること、または、
オープンチャネルの前記セットが空のセットである場合、前記一次チャネルとして前記複数のチャネルペアの１つから前記第１のチャネルを選択することと、を備える、
を実行するように構成された処理システムと、そして、
前記少なくとも１つのアンテナを介して、前記選択された一次チャネルを使用して送信するように構成される送信機と、
を備える上記アクセスポイント。
【請求項２７】
ワイヤレス通信のための第１の装置であって、
チャネルペアの第１のチャネルを使用して第１の送信を送信するように構成される送信機と、前記チャネルペアは、前記第１のチャネルと第２のチャネルとを備える、および、
第２の装置から第２の送信を受信するように構成される受信機とを備え、
ここにおいて、前記第２の送信は、前記チャネルペアの前記第１と第２のチャネルの両方で受信される、
ここにおいて、前記第１と第２のチャネルの１つは、前記第２の装置に対する一次チャネルとして指定される、および、
ここにおいて、前記受信機は、前記第１のチャネルまたは前記第２のチャネルが前記一次チャネルとして指定されるかどうかに関係なく、前記第２の送信を受信するように構成される、
上記第１の装置。
【請求項２８】
前記第１のチャネルが前記第２の装置に対する二次チャネルとして指定されると判定し、
前記判定に基づいて、前記第１のチャネルに対する動作を終了するように構成される、処理システムをさらに備える、請求項２７に記載の第１の装置。
【請求項２９】
前記受信機が、第３の装置から、前記第１のチャネルが前記第２の装置の前記二次チャネルとして指定されることを示すメッセージを受信するように構成され、前記判定が前記メッセージに基づく、請求項２８に記載の第１の装置。
【請求項３０】
前記終了の後、前記送信機が、同一のチャネルペアの前記第２のチャネルで、または、異なるチャネルペアの第１のチャネルまたは第２のチャネルで、第３の送信を送信するように構成される、請求項２８に記載の第１の装置。
【請求項３１】
前記第１のチャネルが前記チャネルペアの偶数チャネルであり、前記第２のチャネルが前記チャネルペアの奇数チャネルであり、前記偶数チャネルが前記奇数チャネルよりも高い帯域幅を占有する、請求項２７に記載の第１の装置。
【請求項３２】
前記第１のチャネルおよび第２のチャネルの各々が約１ＭＨｚというチャネル幅を有し、前記チャネルペアが約２ＭＨｚという帯域幅を有する、請求項２７に記載の第１の装置。
【請求項３３】
前記送信機がさらに、少なくとも前記第２の送信の前記受信の期間、ワイヤレス媒体にアクセスするのを控えるように構成される、請求項２７に記載の第１の装置。
【請求項３４】
ワイヤレス通信のための方法であって、
第１の装置から、チャネルペアの第１のチャネルを使用して第１の送信を送信することと、前記チャネルペアは前記第１のチャネルと第２のチャネルとを備える、および、
第２の装置から第２の送信を受信することとを備え、
ここにおいて、前記第２の送信は、前記チャネルペアの前記第１と前記第２のチャネルの両方で受信される、
ここにおいて、前記第１と第２のチャネルの１つは、前記第２の装置に対する一次チャネルとして指定される、および、
ここにおいて、前記第２の送信は、前記第１のチャネルまたは前記第２のチャネルが前記一次チャネルとして指定されるかどうかに関係なく受信される、
上記方法。
【請求項３５】
前記第１のチャネルが前記第２の装置に対する二次チャネルとして指定されると判定することと、
前記判定に基づいて、前記第１のチャネルに対する動作を終了することとをさらに備える、請求項３４に記載の方法。
【請求項３６】
第３の装置から、前記第１のチャネルが前記第２の装置の前記二次チャネルとして指定されることを示すメッセージを受信することをさらに備え、前記判定が前記メッセージに基づく、請求項３５に記載の方法。
【請求項３７】
前記終了の後、同一のチャネルペアの前記第２のチャネルで、または、異なるチャネルペアの第１のチャネルまたは第２のチャネルで、第３の送信を送信することをさらに備える、請求項３５に記載の方法。
【請求項３８】
前記第１のチャネルが前記チャネルペアの偶数チャネルであり、前記第２のチャネルが前記チャネルペアの奇数チャネルであり、前記偶数チャネルが前記奇数チャネルよりも高い帯域幅を占有する、請求項３４に記載の方法。
【請求項３９】
前記第１のチャネルおよび第２のチャネルの各々が約１ＭＨｚというチャネル幅を有し、前記チャネルペアが約２ＭＨｚという帯域幅を有する、請求項３４に記載の方法。
【請求項４０】
少なくとも前記第２の送信の前記受信の期間、ワイヤレス媒体にアクセスするのを控えることをさらに備える、請求項３４に記載の方法。
【請求項４１】
ワイヤレス通信のための第１の装置であって、
チャネルペアの第１のチャネルを使用して第１の送信を送信するための手段と、前記チャネルペアは、前記第１のチャネルと第２のチャネルとを備える、および、
第２の装置から第２の送信を受信するための手段ととを備え、
ここにおいて、前記第２の送信は、前記チャネルペアの前記第１と前記第２のチャネルの両方で受信される、
ここにおいて、前記第１と第２のチャネルの１つは、前記第２の装置に対する一次チャネルとして指定される、および、
ここにおいて、受信するための前記手段は、前記第１のチャネルまたは前記第２のチャネルが前記一次チャネルとして指定されるかどうかに関係なく、前記第２の送信を受信するように構成される、
を備える上記第１の装置。
【請求項４２】
前記第１のチャネルが前記第２の装置に対する二次チャネルとして指定されると判定するための手段と、
前記判定に基づいて、前記第１のチャネルに対する動作を終了するための手段とをさらに備える、請求項４１に記載の第１の装置。
【請求項４３】
前記受信するための手段が、第３の装置から、前記第１のチャネルが前記第２の装置の前記二次チャネルとして指定されることを示すメッセージを受信するように構成され、前記判定が前記メッセージに基づく、請求項４２に記載の第１の装置。
【請求項４４】
前記終了の後、前記送信するための手段が、同一のチャネルペアの前記第２のチャネルで、または、異なるチャネルペアの第１のチャネルまたは第２のチャネルで、第３の送信を送信するように構成される、請求項４２に記載の第１の装置。
【請求項４５】
前記第１のチャネルが前記チャネルペアの偶数チャネルであり、前記第２のチャネルが前記チャネルペアの奇数チャネルであり、前記偶数チャネルが前記奇数チャネルよりも高い帯域幅を占有する、請求項４１に記載の第１の装置。
【請求項４６】
前記第１のチャネルおよび第２のチャネルの各々が約１ＭＨｚというチャネル幅を有し、前記チャネルペアが約２ＭＨｚという帯域幅を有する、請求項４１に記載の第１の装置。
【請求項４７】
前記送信するための手段がさらに、少なくとも前記第２の送信の前記受信の期間、ワイヤレス媒体にアクセスするのを控えるように構成される、請求項４１に記載の第１の装置。
【請求項４８】
コンピュータ可読媒体を備える、ワイヤレス通信のためのコンピュータプログラム製品であって、前記コンピュータ可読媒体が、
チャネルペアの第１のチャネルを使用して第１の送信を送信することと、前記チャネルペアは、前記第１のチャネルと第２のチャネルとを備える、および、
装置から第２の送信を受信することとを備え、
ここにおいて、前記第２の送信は、前記チャネルペアの前記第１と前記第２のチャネルの両方で受信される、
ここにおいて、前記第１と第２のチャネルの１つは、前記装置に対する一次チャネルとして指定される、および、
ここにおいて、前記第２の送信は、前記第１のチャネルまたは前記第２のチャネルが前記一次チャネルとして指定されるかどうかに関係なく受信される、
を実行可能な命令を備える、上記コンピュータプログラム製品。
【請求項４９】
少なくとも１つのアンテナと、
前記少なくとも１つのアンテナを介して、チャネルペアの第１のチャネルを使用して第１の送信を送信するように構成される送信機と、前記チャネルペアは前記第１のチャネルと第２のチャネルとを備える、および、
前記少なくとも１つのアンテナを介して、装置から第２の送信を受信するように構成される受信機と、
ここにおいて、前記第２の送信は、前記チャネルペアの前記第１と第２のチャネルの両方で受信される、
ここにおいて、前記第１と第２のチャネルの１つは、前記装置に対する一次チャネルとして指定される、および、
ここにおいて、前記受信機は、前記第１のチャネルまたは前記第２のチャネルが前記一次チャネルとして指定されるかどうかに関係なく、前記第２の送信を受信するように構成される、
を備えるアクセスポイント。
【請求項５０】
ワイヤレス通信のための第１の装置であって、
複数のチャネルペアをスキャンすること、ここにおいて、前記チャネルペアの各々は、第１のチャネルと第２のチャネルとを備える、および
前記スキャンに基づいて、一次チャネルが前記第１の装置に通信可能に結合される第２の装置の二次チャネルと同一ではないように、前記一次チャネルとして前記複数のチャネルペアの１つから前記第１のチャネルまたは前記第２のチャネルを選択すること、
を実施するように構成される処理システムと、および、
前記選択された一次チャネルを使用して送信するように構成される送信機と、
を備える、上記第１の装置。
【請求項５１】
前記第１のチャネルおよび第２のチャネルの各々が約１ＭＨｚというチャネル幅を有し、前記複数のチャネルペアの各々が約２ＭＨｚという帯域幅を有する、請求項５０に記載の第１の装置。
【請求項５２】
前記第２の装置からの送信を受信するように構成される受信機をさらに備え、前記送信が、前記複数のチャネルペアの１つの前記第１のチャネルと第２のチャネルの両方で同時に受信される、請求項５０に記載の第１の装置。
【請求項５３】
ワイヤレス通信のための方法であって、
第１の装置において複数のチャネルペアをスキャンすること、ここにおいて、前記チャネルペアの各々は、第１のチャネルと第２のチャネルとを備える、
前記スキャンに基づいて、一次チャネルが前記第１の装置に通信可能に結合される第２の装置の二次チャネルと同一ではないように、前記一次チャネルとして前記複数のチャネルペアの１つから前記第１のチャネルまたは前記第２のチャネルを選択すること、および、
前記選択された一次チャネルを使用して送信すること、
とを備える上記方法。
【請求項５４】
前記第１のチャネルおよび第２のチャネルの各々が約１ＭＨｚというチャネル幅を有し、前記複数のチャネルペアの各々が約２ＭＨｚという帯域幅を有する、請求項５３に記載の方法。
【請求項５５】
前記第２の装置からの送信を受信することをさらに備え、前記送信が、前記複数のチャネルペアの１つの前記第１のチャネルと第２のチャネルの両方で同時に受信される、請求項５３に記載の方法。
【請求項５６】
ワイヤレス通信のための第１の装置であって、
複数のチャネルペアをスキャンするための手段と、ここにおいて、前記チャネルペアの各々は第１のチャネルと第２のチャネルとを備える、
一次チャネルが前記第１の装置に通信可能に結合される第２の装置の二次チャネルと同一ではないように、前記一次チャネルとして前記複数のチャネルペアの１つから前記第１のチャネルまたは前記第２のチャネルを、前記スキャンに基づいて、選択するための手段と、および、
前記選択された一次チャネルを使用して送信するための手段と、
を備える、上記第１の装置。
【請求項５７】
前記第１のチャネルおよび第２のチャネルの各々が約１ＭＨｚというチャネル幅を有し、前記複数のチャネルペアの各々が約２ＭＨｚという帯域幅を有する、請求項５６に記載の第１の装置。
【請求項５８】
前記第２の装置からの送信を受信するための手段をさらに備え、前記送信が、前記複数のチャネルペアの１つの前記第１のチャネルと第２のチャネルの両方で同時に受信される、請求項５６に記載の第１の装置。
【請求項５９】
コンピュータ可読媒体を備える、ワイヤレス通信のためのコンピュータプログラム製品であって、前記コンピュータ可読媒体が、
第１の装置において複数のチャネルペアをスキャンすること、ここにおいて、前記チャネルペアの各々は、第１のチャネルと第２のチャネルとを備える、
前記スキャンに基づいて、一次チャネルが、前記第１の装置に通信可能に結合される第２の装置の二次チャネルと同一ではないように、前記一次チャネルとして前記複数のチャネルペアの１つから前記第１のチャネルまたは前記第２のチャネルを選択すること、および、
前記選択された一次チャネルを使用して送信すること、
を実行可能な命令を備える、上記コンピュータプログラム製品。
【請求項６０】
アクセスポイントであって、
少なくとも１つのアンテナと、
複数のチャネルペアをスキャンすることと、ここにおいて、前記チャネルペアの各々は、第１のチャネルと第２のチャネルとを備える、
前記スキャンに基づいて、一次チャネルが、前記アクセスポイントに通信可能に結合される装置の二次チャネルと同一ではないように、前記一次チャネルとして前記複数のチャネルペアの１つから前記第１のチャネルまたは前記第２のチャネルを選択することと、
をするように構成される処理システムと、および、
前記少なくとも１つのアンテナを介して、前記選択された一次チャネルを使用して送信するように構成される送信機と、
を備える上記アクセスポイント。
【発明の詳細な説明】
【技術分野】
【０００１】
関連出願の相互参照
本出願は、参照によって本明細書に組み込まれる、２０１１年１０月３１日に出願された米国仮特許出願第６１／５５３，８０６号（代理人整理番号１２０３５６Ｐ１）の利益を主張する。
【０００２】
本開示のいくつかの態様は全般に、ワイヤレス通信に関し、より具体的には、サブ１ＧＨｚ基本サービスセット（ＢＳＳ）のためのチャネル選択規則に関する。
【背景技術】
【０００３】
ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
より大きなカバレッジおよびより広い通信範囲に対する要望に対処するために、様々な方式が開発されている。１つのそのような方式は、米国電気電子技術者協会（ＩＥＥＥ）８０２．１１ａｈタスクフォースにより開発されている、サブ１ＧＨｚ周波数帯域（たとえば、米国では９０２〜９２８ＭＨｚで運用している）である。この開発は、他のＩＥＥＥ８０２．１１グループよりもワイヤレス範囲が広く障害物による損失が小さい周波数帯域を利用することに対する要望により、推進されている。
【発明の概要】
【０００５】
本開示のいくつかの態様は、ワイヤレス通信のための装置を提供する。装置は通常、処理システムと送信機とを含む。処理システムは一般に、複数のチャネルペアをスキャンすること、ここにおいてチャネルペアの各々が第１のチャネル指定を有する第１のチャネルと第２のチャネル指定を有する第２のチャネルとを備え、さらに、いずれの他の装置も動作していない複数のチャネルペアからオープンチャネルのセットをスキャンに基づいて、決定し、決定に基づいて一次チャネルを選択するように構成される。選択は通常、オープンチャネルのセットからの１つのメンバーが、第１のチャネル指定を有する場合、その１つのメンバーを一次チャネルとして選択すること、オープンチャネルのセットからのいずれのメンバーも第１のチャネル指定を有さない場合、一次チャネルとして、第２のチャネル指定を有する１つのメンバーをオープンチャネルのセットから選択すること、または、オープンチャネルのセットが空のセットである場合、一次チャネルとして複数のチャネルペアの１つから第１のチャネルを選択することを含む。送信機は一般に、選択された一次チャネルを使用して送信するように構成される。
【０００６】
本開示のいくつかの態様は、ワイヤレス通信のための方法を提供する。方法は一般に、複数のチャネルペアをスキャンする、ここにおいて、チャネルペアの各々が第１のチャネル指定を有する第１のチャネルと第２のチャネル指定を有する第２のチャネルとを備える、スキャンすることと、いずれの他の装置も動作していない複数のチャネルペアからオープンチャネルのセットをスキャンに基づいて、決定することと、決定に基づいて一次チャネルを選択することと、選択された一次チャネルを使用して送信することとを含む。一次チャネルの選択は通常、オープンチャネルのセットからの１つのメンバーが、第１のチャネル指定を有する場合、一次チャネルとしてその１つのメンバーを選択すること、オープンチャネルのセットからのいずれのメンバーも第１のチャネル指定を有さない場合、一次チャネルとして第２のチャネル指定を有するオープンチャネルのセットから１つのメンバーを選択すること、または、オープンチャネルのセットが空のセットである場合、一次チャネルとして複数のチャネルペアの１つから第１のチャネルを選択することを含む。
【０００７】
本開示のいくつかの態様は、ワイヤレス通信のための第１の装置を提供する。第１の装置は一般に、複数のチャネルペアをスキャンするための手段と、ここにおいて、チャネルペアの各々は第１のチャネル指定を有する第１のチャネルと第２のチャネル指定を有する第２のチャネルとを備える、手段と、いずれの他の装置も動作していない複数のチャネルペアからオープンチャネルのセットをスキャンに基づいて、決定するための手段と、決定に基づいて一次チャネルを選択するための手段と、選択された一次チャネルを使用して送信するための手段とを含む。一次チャネルの選択は通常、オープンチャネルのセットからの１つのメンバーが、第１のチャネル指定を有する場合、一次チャネルとしてその１つのメンバーを選択すること、オープンチャネルのセットからいずれのメンバーも第１のチャネル指定を有さない場合、一次チャネルとして第２のチャネル指定を有するオープンチャネルのセットから１つのメンバーを選択すること、または、オープンチャネルのセットが空のセットである場合、一次チャネルとして複数のチャネルペアの１つから第１のチャネルを選択することを含む。
【０００８】
本開示のいくつかの態様は、ワイヤレス通信のためのコンピュータプログラム製品を提供する。コンピュータプログラム製品は一般に、複数のチャネルペアをスキャンすること、ここにおいて、チャネルペアの各々が第１のチャネル指定を有する第１のチャネルと第２のチャネル指定を有する第２のチャネルとを備え、いずれの他の装置も動作していない複数のチャネルペアからオープンチャネルのセットを、スキャンに基づいて、決定すること、決定に基づいて一次チャネルを選択すること、選択された一次チャネルを使用して送信するように実行可能な命令を有する、コンピュータ可読媒体を含む。一次チャネルの選択は通常、オープンチャネルのセットからの１つのメンバーが、第１のチャネル指定を有する場合、一次チャネルとしてその１つのメンバーを選択すること、オープンチャネルのセットからのいずれのメンバーも第１のチャネル指定を有さない場合、一次チャネルとして第２のチャネル指定を有するオープンチャネルのセットから１つのメンバーを選択すること、または、オープンチャネルのセットが空のセットである場合、一次チャネルとして複数のチャネルペアの１つから第１のチャネルを選択することを含む。
【０００９】
本開示のいくつかの態様は、アクセスポイントを提供する。アクセスポイントは一般に、少なくとも１つのアンテナと、処理システムと、送信機とを含む。処理システムは一般に、複数のチャネルペアをスキャンし、ここにおいて、チャネルペアの各々が第１のチャネル指定を有する第１のチャネルと第２のチャネル指定を有する第２のチャネルとを備える、さらに、いずれの他の装置も動作していない複数のチャネルペアからオープンチャネルのセットを、スキャンに基づいて、決定し、決定に基づいて一次チャネルを選択するように構成される。選択は通常、オープンチャネルのセットからの１つのメンバーが、第１のチャネル指定を有する場合、一次チャネルとしてその１つのメンバーを選択すること、オープンチャネルのセットからのいずれのメンバーも第１のチャネル指定を有さない場合、一次チャネルとして第２のチャネル指定を有するオープンチャネルのセットから１つのメンバーを選択すること、または、オープンチャネルのセットが空のセットである場合、一次チャネルとして複数のチャネルペアの１つから第１のチャネルを選択することを含む。送信機は一般に、少なくとも１つのアンテナを介して、選択された一次チャネルを使用して送信するように構成される。
【００１０】
本開示のいくつかの態様は、ワイヤレス通信のための第１の装置を提供する。第１の装置は一般に、送信機と受信機とを含む。送信機は通常、チャネルペアの第１のチャネルを使用して第１の送信を送信するように構成され、チャネルペアは、第１のチャネルと第２のチャネルとを含む。受信機は一般に、第２の装置から第２の送信を受信するように構成され、ここにおいて、第２の送信は、チャネルペアの第１と第２のチャネルの両方で受信される、ここにおいて、第１と第２のチャネルの１つは、第２の装置に対する一次チャネルとして指定される、および、ここにおいて、受信機は、第１のチャネルまたは第２のチャネルが一次チャネルとして指定されるかどうかに関係なく、第２の送信を受信するように構成される。
【００１１】
本開示のいくつかの態様は、ワイヤレス通信のための方法を提供する。方法は一般に、第１の装置から、チャネルペアの第１のチャネルを使用して第１の送信を送信することでと、チャネルペアは第１のチャネルと第２のチャネルとを含む、送信することと、および、第２の装置から第２の送信を受信することとを含み、ここにおいて、第２の送信は、チャネルペアの第１と第２のチャネルの両方で受信される、ここにおいて、第１と第２のチャネルの１つは、第２の装置に対する一次チャネルとして指定される、および、ここにおいて、第２の送信は、第１のチャネルまたは第２のチャネルが一次チャネルとして指定されるかどうかに関係なく受信される。
【００１２】
本開示のいくつかの態様は、ワイヤレス通信のための第１の装置を提供する。第１の装置は一般に、チャネルペアの第１のチャネルを使用して第１の送信を送信するための手段と、チャネルペアは、第１のチャネルと第２のチャネルとを含む、手段と、第２の装置から第２の送信を受信するための手段とを含み、ここにおいて、第２の送信は、チャネルペアの第１と第２のチャネルの両方で受信される、ここにおいて、第１と第２のチャネルの１つは、第２の装置に対する一次チャネルとして指定される、および、ここにおいて、受信するための手段は、第１のチャネルまたは第２のチャネルが一次チャネルとして指定されるかどうかに関係なく、第２の送信を受信するように構成される。
【００１３】
本開示のいくつかの態様は、ワイヤレス通信のためのコンピュータプログラム製品を提供する。コンピュータプログラム製品は一般に、チャネルペアの第１のチャネルを使用して第１の送信を送信することと、チャネルペアは、第１のチャネルと第２のチャネルとを含み、および、装置から第２の送信を受信するように実行可能な命令を有するコンピュータ可読媒体を含み、ここにおいて、第２の送信は、チャネルペアの第１と第２のチャネルの両方で受信される、ここにおいて、第１と第２のチャネルの１つは、装置に対する一次チャネルとして指定される、および、ここにおいて、第２の送信は、第１のチャネルまたは第２のチャネルが一次チャネルとして指定されるかどうかに関係なく受信される。
【００１４】
本開示のいくつかの態様は、アクセスポイントを提供する。アクセスポイントは一般に、少なくとも１つのアンテナと、送信機と、受信機とを含む。送信機は通常、少なくとも１つのアンテナを介して、チャネルペアの第１のチャネルを使用して第１の送信を送信するように構成され、チャネルペアは、第１のチャネルと第２のチャネルとを含む。受信機は一般に、少なくとも１つのアンテナを介して、第２の装置から第２の送信を受信するように構成され、ここにおいて、第２の送信は、チャネルペアの第１と第２のチャネルの両方で受信される、ここにおいて、第１と第２のチャネルの１つは、第２の装置に対する一次チャネルとして指定される、および、ここにおいて、受信機は、第１のチャネルまたは第２のチャネルが一次チャネルとして指定されるかどうかに関係なく、第２の送信を受信するように構成される。
【００１５】
本開示のいくつかの態様は、ワイヤレス通信のための第１の装置を提供する。第１の装置は一般に、処理システムと送信機とを含む。処理システムは通常、複数のチャネルペアをスキャンすること、ここにおいて、チャネルペアの各々が第１のチャネルと第２のチャネルとを含み、および、スキャンに基づいて、一次チャネルが第１の装置に通信可能に結合される第２の装置の二次チャネルと同一ではないように、一次チャネルとして複数のチャネルペアの１つから第１のチャネルまたは第２のチャネルを選択することを実施するように構成される。送信機は一般に、選択された一次チャネルを使用して送信するように構成される。
【００１６】
本開示のいくつかの態様は、ワイヤレス通信のための方法を提供する。方法は一般に、第１の装置において複数のチャネルペアをスキャンすること、ここにおいて、チャネルペアの各々は、第１のチャネルと第２のチャネルとを含む、スキャンすることと、スキャンに基づいて、一次チャネルが第１の装置に通信可能に結合される第２の装置の二次チャネルと同一ではないように、一次チャネルとして複数のチャネルペアの１つから第１のチャネルまたは第２のチャネルを選択すること、および、選択された一次チャネルを使用して送信することとを含む。
【００１７】
本開示のいくつかの態様は、ワイヤレス通信のための第１の装置を提供する。第１の装置は一般に、複数のチャネルペアをスキャンするための手段と、ここにおいて、チャネルペアの各々は第１のチャネルと第２のチャネルとを含む、手段と、一次チャネルが第１の装置に通信可能に結合された第２の装置の二次チャネルと同一ではないように、一次チャネルとして複数のチャネルペアの１つから第１のチャネルまたは第２のチャネルを、スキャンに基づいて、選択するための手段と、および、選択された一次チャネルを使用して送信するための手段とを含む。
【００１８】
本開示のいくつかの態様は、ワイヤレス通信のためのコンピュータプログラム製品を提供する。コンピュータプログラム製品は一般に、第１の装置において複数のチャネルペアをスキャンすること、ここにおいて、チャネルペアの各々は、第１のチャネルと第２のチャネルとを含み、さらに、スキャンに基づいて、一次チャネルが、第１の装置に通信可能に結合される第２の装置の二次チャネルと同一ではないように、一次チャネルとして複数のチャネルペアの１つから第１のチャネルまたは第２のチャネルを選択すること、および、選択された一次チャネルを使用して送信することを実行可能な命令を有するコンピュータ可読媒体を含む。
【００１９】
本開示のいくつかの態様は、アクセスポイントを提供する。アクセスポイントは一般に、少なくとも１つのアンテナと、処理システムと、送信機とを含む。処理システムは通常、複数のチャネルペアをスキャンすることと、ここにおいて、チャネルペアの各々は、第１のチャネルと第２のチャネルとを含み、さらに、スキャンに基づいて、一次チャネルが、アクセスポイントに通信可能に結合された装置の二次チャネルと同一ではないように、一次チャネルとして複数のチャネルペアの１つから第１のチャネルまたは第２のチャネルを選択することとをするように構成される。送信機は一般に、少なくとも１つのアンテナを介して、選択された一次チャネルを使用して送信するように構成される。
【００２０】
本開示の上述の特徴が詳細に理解され得るように、添付の図面にその一部が示される態様を参照することによって、上で簡単に要約された内容のより具体的な説明が得られ得る。しかしながら、添付の図面は、本開示の特定の典型的な態様のみを示し、したがって、本開示の範囲の限定とみなされてはならず、その理由は、この説明がその他の同等の効果のある態様をもたらし得るからであることに留意されたい。
【図面の簡単な説明】
【００２１】
【図１】本開示のいくつかの態様による、例示的なワイヤレス通信ネットワークの図。
【図２】本開示のいくつかの態様による、例示的なアクセスポイントおよびユーザ端末のブロック図。
【図３】本開示のいくつかの態様による、例示的なワイヤレスデバイスのブロック図。
【図４】本開示のいくつかの態様による、一次チャネルを選択し一次チャネルで送信するための例示的な動作のブロック図。
【図４Ａ】図４に示される動作を実行することが可能な例示的な手段を示す図。
【図５】本開示のいくつかの態様による、チャネルペアで送信し受信するための例示的な動作のブロック図。
【図５Ａ】図５に示される動作を実行することが可能な例示的な手段を示す図。
【図６】本開示のいくつかの態様による、別の装置に対する二次チャネルを一次チャネルとして選択するのを避けることによって一次チャネルを選択するための例示的な動作のブロック図。
【図６Ａ】図６に示される動作を実行することが可能な例示的手段を示す図。
【発明を実施するための形態】
【００２２】
添付の図面を参照しながら本開示の様々な態様が以下でより十分に説明される。しかしながら、本開示は、多くの異なる形態で実施され得るものであり、本開示全体にわたって提示される任意の特定の構造または機能に限定されるものと解釈されるべきではない。むしろ、これらの態様は、本開示が周到で完全になり、本開示の範囲を当業者に十分に伝えるために与えられるものである。本明細書の教示に基づいて、本開示の範囲は、本開示の他の態様とは無関係に実装されるにせよ、本開示の他の態様と組み合わせて実装されるにせよ、本明細書で開示される本開示のいかなる態様をも包含するものであることを、当業者は諒解されたい。たとえば、本明細書に記載された任意の数の態様を使用して、装置が実装され、または方法が実施され得る。加えて、本開示の範囲は、本明細書に記載された本開示の様々な態様に加えて、またはそれらの態様以外に、他の構造、機能、または構造および機能を使用して実施されるそのような装置またはそのような方法を包含するものとする。本明細書で開示される本開示の任意の態様は、請求項の１つまたは複数の要素によって具現化され得ることを理解されたい。
【００２３】
本明細書では特定の態様が説明されるが、これらの態様の多くの変形体および置換が本開示の範囲内に入る。好ましい態様のいくつかの利益および利点が説明されるが、本開示の範囲は、特定の利益、使用、または目的に限定されるものではない。むしろ、本開示の態様は、様々なワイヤレス技術、システム構成、ネットワーク、および送信プロトコルに広く適用可能であるものとし、そのうちのいくつかが例として図面および好ましい態様の以下の説明において示される。発明を実施するための形態および図面は、限定的なものではなく本開示を説明するものにすぎず、本開示の範囲は添付の特許請求の範囲およびその等価物によって規定される。
【００２４】
例示的なワイヤレス通信システム
本明細書で説明される技法は、直交多重化方式に基づく通信システムを含む、様々なブロードバンドワイヤレス通信システムに使用され得る。そのような通信システムの例には、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどがある。ＳＤＭＡシステムは、複数のユーザ端末に属するデータを同時に送信するために十分に異なる方向を利用し得る。ＴＤＭＡシステムは、送信信号を異なるタイムスロットに分割することによって、複数のユーザ端末が同じ周波数チャネルを共有することを可能にでき、各タイムスロットは、異なるユーザ端末に割り当てられる。ＯＦＤＭＡシステムは、全システム帯域幅を複数の直交サブキャリアに区分する変調技法である、直交周波数分割多重（ＯＦＤＭ）を利用する。これらのサブキャリアは、トーン、ビンなどと呼ばれ得る。ＯＦＤＭでは、各サブキャリアはデータによって独立に変調され得る。ＳＣ−ＦＤＭＡシステムは、システム帯域幅にわたって分散されたサブキャリア上で送信するためのｉｎｔｅｒｌｅａｖｅｄ  ＦＤＭＡ（ＩＦＤＭＡ）、隣接するサブキャリアのブロック上で送信するためのｌｏｃａｌｉｚｅｄ  ＦＤＭＡ（ＬＦＤＭＡ）、または隣接するサブキャリアの複数のブロック上で送信するためのｅｎｈａｎｃｅｄ  ＦＤＭＡ（ＥＦＤＭＡ）を利用することができる。一般に、変調シンボルは、ＯＦＤＭでは周波数領域で、ＳＣ−ＦＤＭＡでは時間領域で送信される。
【００２５】
本明細書の教示は、種々の有線装置またはワイヤレス装置（たとえば、ノード）に組み込まれ得る（たとえば、その装置内に実装されるか、またはその装置によって実行され得る）。いくつかの態様では、本明細書の教示に従って実装されるワイヤレスノードはアクセスポイントまたはアクセス端末を備え得る。
【００２６】
アクセスポイント（「ＡＰ」）は、Ｎｏｄｅ  Ｂ、無線ネットワークコントローラ（「ＲＮＣ」）、ｅｖｏｌｖｅｄ  Ｎｏｄｅ  Ｂ（ｅＮＢ）、基地局コントローラ（「ＢＳＣ」）、ベーストランシーバ局（「ＢＴＳ」）、基地局（「ＢＳ」）、送受信機機能（「ＴＦ」）、無線ルータ、無線送受信機、基本サービスセット（「ＢＳＳ」）、拡張サービスセット（「ＥＳＳ」）、無線基地局（「ＲＢＳ」）、または何らかの他の用語を備えるか、それらとして実装されるか、あるいはそれらとして知られ得る。
【００２７】
アクセス端末（「ＡＴ」）は、加入者局、加入者ユニット、移動局（「ＭＳ」）、リモート局、リモート端末、ユーザ端末（「ＵＴ」）、ユーザエージェント、ユーザデバイス、ユーザ機器（「ＵＥ」）、ユーザ局、または何らかの他の用語を備えるか、それらとして実装されるか、あるいはそれらとして知られ得る。いくつかの実装形態では、アクセス端末は、セルラー電話、コードレス電話、セッション開始プロトコル（「ＳＩＰ」）フォン、ワイヤレスローカルループ（「ＷＬＬ」）局、携帯情報端末（「ＰＤＡ」）、ワイヤレス接続機能を有するハンドヘルドデバイス、局（「ＳＴＡ」）、またはワイヤレスモデムに接続された何らかの他の好適な処理デバイスを備え得る。したがって、本明細書で教示される１つまたは複数の態様は、電話（たとえば、携帯電話またはスマートフォン）、コンピュータ（たとえば、ラップトップ）、タブレット、ポータブル通信デバイス、ポータブルコンピューティングデバイス（たとえば、携帯情報端末）、エンターテインメントデバイス（たとえば、音楽デバイスもしくはビデオデバイス、または衛星ラジオ）、全地球測位システム（ＧＰＳ）デバイス、あるいはワイヤレス媒体または有線媒体を介して通信するように構成された他の好適なデバイスに組み込まれ得る。いくつかの態様では、ノードはワイヤレスノードである。たとえば、そのようなワイヤレスノードは、有線またはワイヤレス通信リンクを介した、ネットワーク（たとえば、インターネットまたはセルラーネットワークのようなワイドエリアネットワーク）のための、またはネットワークへの接続性を与え得る。
【００２８】
図１は、アクセスポイントとユーザ端末とをもつ多元接続多入力多出力（ＭＩＭＯ）システム１００を示す。簡単のために、図１にはただ１つのアクセスポイント１１０が示される。アクセスポイントは一般に、ユーザ端末と通信する固定局であり、基地局または何らかの他の用語で呼ばれることもある。ユーザ端末は、固定式でも移動式でもよく、移動局、ワイヤレスデバイス、または何らかの他の用語で呼ばれることもある。アクセスポイント１１０は、ダウンリンクおよびアップリンク上で任意の所与の瞬間において１つまたは複数のユーザ端末１２０と通信し得る。ダウンリンク（すなわち、順方向リンク）はアクセスポイントからユーザ端末への通信リンクであり、アップリンク（すなわち、逆方向リンク）はユーザ端末からアクセスポイントへの通信リンクである。ユーザ端末はまた、別のユーザ端末とピアツーピアに通信することができる。システムコントローラ１３０は、アクセスポイントに結合し、アクセスポイントの調整と制御とを行う。
【００２９】
以下の開示の部分では、空間分割多元接続（ＳＤＭＡ）によって通信することが可能なユーザ端末１２０を説明するが、いくつかの態様では、ユーザ端末１２０は、ＳＤＭＡをサポートしないいくつかのユーザ端末も含み得る。したがって、そのような態様では、ＡＰ１１０は、ＳＤＭＡユーザ端末と非ＳＤＭＡユーザ端末の両方と通信するように構成され得る。この手法は、都合のよいことに、より新しいＳＤＭＡユーザ端末が適宜に導入されることを可能にしながら、より古いバージョンのユーザ端末（「レガシー」局）が企業に配備されたままであることを可能にして、それらの有効寿命を延長することができる。
【００３０】
システム１００は、ダウンリンクおよびアップリンク上でのデータ伝送のために複数の送信アンテナと複数の受信アンテナとを利用する。アクセスポイント１１０は、Ｎap個のアンテナを装備し、ダウンリンク送信では多入力（ＭＩ）を表し、アップリンク送信では多出力（ＭＯ）を表す。Ｋ個の選択されたユーザ端末１２０のセットは、ダウンリンク送信では多出力を集合的に表し、アップリンク送信では多入力を集合的に表す。純粋なＳＤＭＡの場合、Ｋ個のユーザ端末のためのデータシンボルストリームが、何らかの手段によって、コード、周波数または時間で多重化されない場合、Ｎap≧Ｋ≧１であることが望まれる。ＴＤＭＡ技法、ＣＤＭＡを用いた異なるコードチャネル、ＯＦＤＭを用いたサブバンドの独立セットなどを使用してデータシンボルストリームが多重化され得る場合、ＫはＮapよりも大きくなり得る。各々の選択されたユーザ端末は、ユーザ固有のデータをアクセスポイントに送信し、かつ／またはアクセスポイントからユーザ固有のデータを受信する。一般に、各々の選択されたユーザ端末は、１つまたは複数のアンテナを装備し得る（すなわち、Ｎut≧１）。Ｋ個の選択されたユーザ端末は、同じまたは異なる数のアンテナを有し得る。
【００３１】
ＳＤＭＡシステムは、時分割複信（ＴＤＤ）システムまたは周波数分割複信（ＦＤＤ）システムであってよい。ＴＤＤシステムの場合、ダウンリンクとアップリンクは同じ周波数帯域を共有する。ＦＤＤシステムの場合、ダウンリンクとアップリンクは異なる周波数帯域を使用する。ＭＩＭＯシステム１００はまた、伝送のために単一のキャリアまたは複数のキャリアを利用することができる。各ユーザ端末は、（たとえば、コストを抑えるために）単一のアンテナを備えてよく、または（たとえば、追加の費用が支持され得る場合）複数のアンテナを備えてよい。システム１００はまた、送信／受信を異なるタイムスロットに分割することによってユーザ端末１２０が同じ周波数チャネルを共有する場合、ＴＤＭＡシステムであってもよく、各タイムスロットは、異なるユーザ端末１２０に割り当てられる。
【００３２】
図２は、ＭＩＭＯシステム１００におけるアクセスポイント１１０と２つのユーザ端末１２０ｍおよび１２０ｘとのブロック図を示す。アクセスポイント１１０はＮt個のアンテナ２２４ａ〜２２４ｔを装備する。ユーザ端末１２０ｍはＮut,m個のアンテナ２５２ｍａ〜２５２ｍｕを装備し、ユーザ端末１２０ｘはＮut,x個のアンテナ２５２ｘａ〜２５２ｘｕを装備する。アクセスポイント１１０は、ダウンリンクでは送信エンティティであり、アップリンクでは受信エンティティである。各ユーザ端末１２０は、アップリンクでは送信エンティティであり、ダウンリンクでは受信エンティティである。本明細書で使用される「送信エンティティ」は、ワイヤレスチャネルを介してデータを送信することが可能な独立動作型の装置またはデバイスであり、「受信エンティティ」は、ワイヤレスチャネルを介してデータを受信することが可能な独立動作型の装置またはデバイスである。以下の説明では、下付き文字「ｄｎ」はダウンリンクを示し、下付き文字「ｕｐ」はアップリンクを示し、Ｎup個のユーザ端末がアップリンク上での同時伝送のために選択され、Ｎdn個のユーザ端末がダウンリンク上での同時伝送のために選択され、Ｎupは、Ｎdnに等しいことも等しくないこともあり、ＮupおよびＮdnは、静的な値であってよくまたはスケジュール間隔ごとに変化してよい。アクセスポイントおよびユーザ端末において、ビームステアリングまたは何らかの他の空間処理技法が使用され得る。
【００３３】
アップリンク上では、アップリンク送信のために選択された各ユーザ端末１２０において、送信（ＴＸ）データプロセッサ２８８は、データソース２８６からトラフィックデータを受信し、コントローラ２８０から制御データを受信する。ＴＸデータプロセッサ２８８は、ユーザ端末のために選択されたレートと関連付けられるコーディングおよび変調方式に基づいて、ユーザ端末のためにトラフィックデータを処理（たとえば、符号化、インターリーブ、および変調）し、データシンボルストリームを与える。ＴＸ空間プロセッサ２９０は、データシンボルストリームに対して空間処理を実行し、Ｎut,m個の送信シンボルストリームをＮut,m個のアンテナに与える。各送信機ユニット（ＴＭＴＲ）２５４は、アップリンク信号を生成するために、それぞれの送信シンボルストリームを受信し、処理（たとえば、アナログ変換、増幅、フィルタリング、および周波数アップコンバート）する。Ｎut,m個の送信機ユニット２５４は、Ｎut,m個のアンテナ２５２からアクセスポイントへの送信のためのＮut,m個のアップリンク信号を与える。
【００３４】
アップリンク上での同時伝送のためにＮup個のユーザ端末がスケジューリングされ得る。これらのユーザ端末の各々は、そのデータシンボルストリームに対して空間処理を実行し、アップリンク上で送信シンボルストリームのそのセットをアクセスポイントに送信する。
【００３５】
アクセスポイント１１０において、Ｎap個のアンテナ２２４ａ〜２２４ａｐは、アップリンク上で送信するすべてのＮup個のユーザ端末からアップリンク信号を受信する。各アンテナ２２４は、受信された信号をそれぞれの受信機ユニット（ＲＣＶＲ）２２２に与える。各受信機ユニット２２２は、送信機ユニット２５４によって実行された処理を補足する処理を実行し、受信されたシンボルストリームを与える。ＲＸ空間プロセッサ２４０は、Ｎap個の受信機ユニット２２２からのＮap個の受信されたシンボルストリームに対して受信機空間処理を実行し、Ｎup個の復元されたアップリンクデータシンボルストリームを与える。受信機空間処理は、チャネル相関行列反転（ＣＣＭＩ）、最小平均２乗誤差（ＭＭＳＥ）、ソフト干渉消去（ＳＩＣ）、または何らかの他の技法に従って実行される。各々の復元されたアップリンクデータシンボルストリームは、それぞれのユーザ端末によって送信されたデータシンボルストリームの推定値である。ＲＸデータプロセッサ２４２は、復号されたデータを得るために、そのストリームのために使用されたレートに従って各々の復元されたアップリンクデータシンボルストリームを処理（たとえば、復調、デインターリーブ、および復号）する。各ユーザ端末の復号されたデータは、記憶のためにデータシンク２４４に与えられ、かつ／またはさらなる処理のためにコントローラ２３０に与えられ得る。
【００３６】
ダウンリンク上では、アクセスポイント１１０において、ＴＸデータプロセッサ２１０は、ダウンリンク送信のためにスケジュールされたＮdn個のユーザ端末のためのデータソース２０８からトラフィックデータを受信し、コントローラ２３０から制御データを受信し、場合によってはスケジューラ２３４から他のデータを受信する。様々なタイプのデータは様々なトランスポートチャネル上で送信され得る。ＴＸデータプロセッサ２１０は、そのユーザ端末のために選択されたレートに基づいて各ユーザ端末のトラフィックデータを処理（たとえば、符号化、インターリーブ、変調）する。ＴＸデータプロセッサ２１０は、Ｎdn個のダウンリンクデータシンボルストリームをＮdn個のユーザ端末に与える。ＴＸ空間プロセッサ２２０は、Ｎdn個のダウンリンクデータシンボルストリームに対して（本開示で説明されるプリコーディングまたはビームフォーミングなどの）空間処理を実行し、Ｎap個の送信シンボルストリームをＮap個のアンテナに与える。各送信機ユニット２２２は、ダウンリンク信号を生成するために、それぞれの送信シンボルストリームを受信し、処理する。Ｎap個の送信機ユニット２２２は、Ｎap個のアンテナ２２４からユーザ端末への送信のためのＮap個のダウンリンク信号を与える。
【００３７】
各ユーザ端末１２０において、Ｎut,m個のアンテナ２５２は、アクセスポイント１１０からＮap個のダウンリンク信号を受信する。各受信機ユニット２５４は、関連するアンテナ２５２からの受信された信号を処理し、受信されたシンボルストリームを与える。ＲＸ空間プロセッサ２６０は、Ｎut,m個の受信機ユニット２５４からのＮut,m個の受信されたシンボルストリームに対して受信機空間処理を実行し、復元されたダウンリンクデータシンボルストリームをユーザ端末に与える。受信機空間処理は、ＣＣＭＩ、ＭＭＳＥ、または何らかの他の技法に従って実行される。ＲＸデータプロセッサ２７０は、復元されたダウンリンクデータシンボルストリームを処理（たとえば、復調、デインターリーブ、および復号）して、ユーザ端末のための復号されたデータを取得する。
【００３８】
各ユーザ端末１２０において、チャネル推定器２７８は、ダウンリンクチャネル応答を推定し、チャネル利得推定値、ＳＮＲ推定値、雑音分散などを含み得る、ダウンリンクチャネル推定値を与える。同様に、チャネル推定器２２８は、アップリンクチャネル応答を推定し、アップリンクチャネル推定値を与える。各ユーザ端末用のコントローラ２８０は通常、ユーザ端末に対する空間フィルタ行列を、そのユーザ端末に対するダウンリンクチャネル応答行列Ｈdn,mに基づいて導出する。コントローラ２３０は、アクセスポイントに対する空間フィルタ行列を、実効アップリンクチャネル応答行列Ｈup,effに基づいて導出する。各ユーザ端末用のコントローラ２８０は、フィードバック情報（たとえば、ダウンリンクおよび／またはアップリンク固有ベクトル、固有値、ＳＮＲ推定値、など）をアクセスポイントに送信することができる。コントローラ２３０および２８０は、それぞれ、アクセスポイント１１０およびユーザ端末１２０における様々な処理ユニットの動作も制御する。
【００３９】
図３は、ＭＩＭＯシステム１００内で使用され得るワイヤレスデバイス３０２において利用され得る様々なコンポーネントを示す。ワイヤレスデバイス３０２は、本明細書で説明される様々な方法を実装するように構成され得るデバイスの一例である。ワイヤレスデバイス３０２は、アクセスポイント１１０またはユーザ端末１２０であり得る。
【００４０】
ワイヤレスデバイス３０２は、ワイヤレスデバイス３０２の動作を制御するプロセッサ３０４を含み得る。プロセッサ３０４は中央処理装置（ＣＰＵ）と呼ばれることもある。読取り専用メモリ（ＲＯＭ）とランダムアクセスメモリ（ＲＡＭ）の両方を含み得るメモリ３０６は、命令とデータとをプロセッサ３０４に与える。メモリ３０６の一部は、不揮発性ランダムアクセスメモリ（ＮＶＲＡＭ）も含み得る。プロセッサ３０４は通常、メモリ３０６内に記憶されたプログラム命令に基づいて、論理動作と演算動作とを実行する。メモリ３０６中の命令は、本明細書で説明される方法を実施するように実行可能であり得る。
【００４１】
ワイヤレスデバイス３０２は、ワイヤレスデバイス３０２と遠隔地との間のデータの送信と受信とを可能にするための送信機３１０と受信機３１２とを含み得る、筐体３０８も含み得る。送信機３１０および受信機３１２は、送受信機３１４へと組み合わされ得る。単一または複数の送信アンテナ３１６は、筐体３０８に取り付けられ、送受信機３１４に電気的に結合され得る。ワイヤレスデバイス３０２はまた、複数の送信機と、複数の受信機と、複数の送受信機とを含み得る（図示せず）。
【００４２】
ワイヤレスデバイス３０２は、送受信機３１４によって受信された信号のレベルを検出し定量化するために使用され得る信号検出器３１８も含み得る。信号検出器３１８は、総エネルギー、シンボルごとのサブキャリア当たりのエネルギー、電力スペクトル密度および他の信号などの信号を検出し得る。ワイヤレスデバイス３０２は、信号を処理する際に使用するためのデジタル信号プロセッサ（ＤＳＰ）３２０も含み得る。
【００４３】
ワイヤレスデバイス３０２の様々なコンポーネントは、データバスに加えて、電力バスと、制御信号バスと、状態信号バスとを含み得る、バスシステム３２２によって互いに結合され得る。
【００４４】
例示的な１ＭＨｚおよび２ＭＨｚのチャネライゼーション
ＩＥＥＥ  ８０２．１１ａｈでは、１ＭＨｚチャネルと２ＭＨｚチャネルの共存が、２つの選択肢に従って提案されている。１つの選択肢は、米国において２ＭＨｚのチャネライゼーションのみを実装することである。この場合、基本サービスセット（ＢＳＳ）は、チャネルペアの下側（または上側）の部分のみで１ＭＨｚの送信を行うことができ、これによって、実質的に１３個の１ＭＨｚチャネルが生じる。もう１つの選択肢は、米国において、２ＭＨｚチャネルだけではなく１ＭＨｚチャネルも実装することである。この実装を通じて、２６個の１ＭＨｚチャネルが利用可能になり得る。これらの２つの選択肢のもとで、以下の段落で説明されるように、本開示のいくつかの態様は、後者の選択肢を利用する。
【００４５】
グローバルチャネライゼーション方式が提案され採用されてきた。米国では、９０２〜９２８ＭＨｚの周波数帯域と、２６ＭＨｚの帯域幅と、未知の数の１ＭＨｚチャネルと、１３個の２ＭＨｚチャネルと、６個の４ＭＨｚチャネルとを備える、通信システムを利用することができる。加えて、欧州では、８６３〜８６８．６ＭＨｚの周波数帯域と、５．６ＭＨｚの帯域幅と、５個の１ＭＨｚチャネルと、２個の２ＭＨｚチャネルと、１個の４ＭＨｚチャネルとを備える、通信システムを利用することができる。日本では、９１５．９〜９２８．１ＭＨｚの周波数帯域と、許容される最大帯域幅が１ＭＨｚである１２．２ＭＨｚの帯域幅と、１１個の１ＭＨｚチャネルと、約５個の２ＭＨｚチャネルと、約２個の４ＭＨｚチャネルとを備える、通信システムを利用することができる。韓国では、９１７〜９２３．５ＭＨｚの周波数帯域と、６．５ＭＨｚの帯域幅と、６個の１ＭＨｚチャネルと、３個の２ＭＨｚチャネルと、１個の４ＭＨｚチャネルとを備える、通信システムを利用することができる。中国では、７５５〜７８７ＭＨｚの周波数帯域と、７５５〜７７９ＭＨｚの周波数帯域において許容される最大帯域幅が１ＭＨｚである３２ＭＨｚの帯域幅と、３２個の１ＭＨｚチャネルと、４個の２ＭＨｚチャネルと、２個の４ＭＨｚチャネルとを備える、通信システムを利用することができる。
【００４６】
米国内で１ＭＨｚのチャネライゼーションを実装するいくつかの理由がある。第１に、１ＭＨｚのチャネライゼーションは、世界の他の地域との統一性を生み出すことを助け得る。複数の１ＭＨｚチャネルを利用する複数の他の場所がある。たとえば、中国は、７７９〜７８７ＭＨｚの帯域内で３２個の１ＭＨｚチャネルを利用する。１ＭＨｚのチャネライゼーションを実装する別の理由は、米国において１ＭＨｚのチャネライゼーションを妨げる規制上の障害がないことである。さらに、米国において１ＭＨｚのチャネライゼーションを利用することは、複雑さの増大を伴わない。上半分と下半分の両方に１ＭＨｚチャネルが存在する可能性は、他の地域（たとえば、欧州、韓国、および中国）ではすでに存在する。したがって、他の国の１ＭＨｚチャネライゼーションシステムは、同様の問題と解決法とともに、米国において再使用され得る。２ＭＨｚのチャネライゼーションを支持する意見は弱い傾向がある。すなわち、１３個のチャネルは大半の使用事例では「十分」であり、大半の地域よりも多い。最終的に、２ＭＨｚ  ＢＳＳの展開を促進することに対する要望は理解可能ではあるが、それでも２ＭＨｚチャネルは他の面で重視され得る。たとえば、２ＭＨｚ  ＢＳＳの二次チャネルを避けることを１ＭＨｚネットワークに強いる、スキャン規則またはチャネル選択規則が設計され得る。
【００４７】
１ＭＨｚチャネルと２ＭＨｚチャネルを共存させるために、１ＭＨｚの送信と２ＭＨｚの送信の受信が望ましいことがある。しかしながら、１ＭＨｚの復号が２ＭＨｚ  ＢＳＳの下側の１ＭＨｚチャネルでのみ必須であれば、それでも十分であり得る。
【００４８】
１ＭＨｚおよび２ＭＨｚのチャネライゼーションのための通信方式は、重複するＢＳＳに対するＩＥＥＥ  ８０２．１１ｎと同様の規則に従い得る。言い換えると、８０２．１１ａｈ通信システムにおける１ＭＨｚ  ＢＳＳと２ＭＨｚ  ＢＳＳの共存は、ＩＥＥＥ  ８０２．１１ｎ通信システムにおける２０ＭＨｚ  ＢＳＳと４０ＭＨｚ  ＢＳＳの共存と同様であり得る。重複する２ＭＨｚ  ＢＳＳは、同一の一次チャネルを使用するように設計され得る。唯一の違いは、８０２．１１ａｈシステムでは、信号フィールド（ＳＩＧ）が二次チャネルにおいて複製され得ないので、エネルギー検出に基づく二次チャネルにおける延期が両方向であり得るということであり得る。
【００４９】
１ＭＨｚチャネルと２ＭＨｚチャネルの共存を支援する他の方法は、２ＭＨｚ  ＢＳＳをさらに保護するためにより制約的な規則を導入することによるものであり得る。たとえば、２ＭＨｚ  ＢＳＳは、奇数チャネル（または偶数チャネル）のみに一次チャネルを有することが許容され得る。別の例示的な制約的な規則は、２ＭＨｚの送信の位置が奇数チャネルであるか偶数チャネルであるかにかかわらず、２ＭＨｚの送信を復号するために１ＭＨｚの信号のみを送信することが可能なＢＳＳ（すなわち、「１ＭＨｚのみ送信ＢＳＳ」）を有することである。８０２．１１ｎ通信システムと同様に、そのような制約的な規則は、２ＭＨｚの送信に対するクリアチャネルアセスメント（ＣＣＡ）と関連付けられるプリアンブル検出を可能にし得る。
【００５０】
２ＭＨｚの選択肢の実装では、１ＭＨｚの送信は、奇数番号（または偶数番号）のチャネルのみで送信され得る。言い換えると、１ＭＨｚのみ送信ＢＳＳは、２ＭＨｚチャネルシステム内の奇数（または偶数）チャネルにのみ存在し得る。この選択肢の利点には、デフォルトで２ＭＨｚ  ＢＳＳが保護されることと、奇数（または偶数）チャネルが暗黙的に一次チャネルになり得るので１ＭＨｚチャネルシステムと２ＭＨｚチャネルシステムの共存を確実にするための規則がないこととがあり得る。しかしながら、問題は１ＭＨｚ  ＢＳＳの数が１３に制限され得るということであり、この数は、米国における大量のネットワークトラフィックに対しては不十分であり得る。
【００５１】
１ＭＨｚのチャネライゼーションでは、１ＭＨｚのみ送信ＢＳＳは任意のチャネルに存在し得る。２ＭＨｚの受信を尊重するために、奇数チャネルで送信を受信する１ＭＨｚのみ送信ＢＳＳは、２ＭＨｚの送信を探すことができ、この２ＭＨｚの送信は、奇数チャネルと、右側（すなわち、次に周波数が高いチャネル）に追加の偶数チャネルとを含む。偶数チャネルで送信を受信する１ＭＨｚのみ送信ＢＳＳは、２ＭＨｚの送信を探すことができ、この２ＭＨｚの送信は、偶数チャネルと、左側（すなわち、次に周波数が低いチャネル）に追加の奇数チャネルとを含む。２ＭＨｚ  ＢＳＳはそれでも、奇数チャネルのみで１ＭＨｚの送信を行い得る。１ＭＨｚのチャネライゼーションのための上の方式は、２６個の１ＭＨｚ  ＢＳＳと、８０２．１１ｎと同様の共存と、中国、ＥＵ、および韓国のような他の地域での解決法の再使用とを可能にする。しかしながら、二次チャネル上での共存は、エネルギー検出に基づいて両方向に実行され得る。８０２．１１ｎでは、４０ＭＨｚのデバイスは二次チャネル上で２０ＭＨｚのデバイスに対するエネルギー検出を実行するが、２０ＭＨｚのデバイスは二次チャネル上で４０ＭＨｚのデバイスに対するエネルギー検出を実行しない。８０２．１１ａｈでは、ＳＩＧが１ＭＨｚのチャンクにおいて複製されないので、エネルギー検出が両方向で唯一の機構であり得る。
【００５２】
１ＭＨｚの動作モードと２ＭＨｚの動作モードの共存
本開示のいくつかの態様は、１ＭＨｚの動作モードと２ＭＨｚの動作モードの共存を伴う、１ＭＨｚのチャネライゼーションの実装形態を提供する。２ＭＨｚ局（ＳＴＡ）は、下側（または上側）の１ＭＨｚチャネルのみで１ＭＨｚ送信を復号することが可能であり、２ＭＨｚの受信がサポートされ得ることが、仮定され得る。ＳＴＡが２ＭＨｚのパケットを送信するときは常に、その２ＭＨｚチャネルにとどまる各々の他のＳＴＡがパケットを受信する（かつ延期する）ことができる。同様に、ＳＴＡは、一次チャネルのみで１ＭＨｚのパケットを送信することができる。そのチャネルにとどまる各々のＳＴＡは、たとえば１ＭＨｚの帯域内で、パケットを受信する（かつ延期する）ことができる。他の１ＭＨｚチャネルにとどまる各々のＳＴＡは、パケットを復号する必要はないが、二次チャネルでのエネルギー検出に基づいて延期することができる。
【００５３】
米国内での１ＭＨｚのチャネライゼーションの実装は、チャネル選択規則に対する様々な選択肢を伴い得る。１つのそのような選択肢は、ＩＥＥＥ  ８０２．１１ｎと同様のチャネル選択規則を使用することを伴い得る。たとえば、各々の２ＭＨｚ  ＢＳＳは、奇数または偶数の、任意の１ＭＨｚチャネルを選ぶことができる。ＢＳＳは大抵、同一の２ＭＨｚチャネルを使用することを避け得る。アクセスポイント（ＡＰ）が既存のＢＳＳと同じ２ＭＨｚチャネルを選ぶ場合、２つの１ＭＨｚチャネルのいずれかに一次チャネルがない限り、このＡＰは大抵、既存のＢＳＳの一次チャネルと整合するように、ＡＰの一次チャネルを選択し得る。このことは、一次チャネル上でのネットワーク割振りベクトル（ＮＡＶ）の分布との共存を容易にする。しかしながら、この規則があっても、２つのＢＳＳは、同一の２ＭＨｚチャネル内で異なる一次チャネルとともに動作し得る。そのようになる場合、二次チャネル上での１ＭＨｚの送信は、より弱い検出方法であり得るとともにＮＡＶを伴わないことがある、エネルギー検出（ＥＤ）のみを通じて検出され得る。
【００５４】
チャネル選択規則に対する別の選択肢は、本開示のいくつかの態様による、新たな選択手順を備え得る。チャネル選択規則のこのセットのもとでは、１ＭＨｚの「デフォルト」一次チャネルが２ＭＨｚの帯域幅内で定義され得る。デフォルト一次チャネルは、例によって、２ＭＨｚの帯域幅の下半分（または上半分）として、または、規格に対する８０２．１１ａｈの改正によって定義されるものとして、定義され得る。１ＭＨｚのみで動作するＡＰ（すなわち、１ＭＨｚのみ送信ＢＳＳ）は、（１）デフォルトの１ＭＨｚチャネルを探し選択すること、このときＢＳＳは存在しているとしても動作していない（１ＭＨｚ
ＢＳＳまたは２ＭＨｚ  ＢＳＳ）、（２）デフォルトチャネルが利用可能ではない場合、「非デフォルト」チャネルを選択すること、このときＢＳＳは動作していない（一部のＢＳＳは１ＭＨｚで動作しているので、これらは利用可能であり得る）、および（３）そのようなチャネルが利用可能ではない場合、任意のデフォルトチャネルを選択することによって、チャネルを選択することができる。ＡＰが非デフォルトチャネル上の一次チャネルによって１ＭＨｚで動作している場合、２ＭＨｚ  ＢＳＳを検出すると、１ＭＨｚ  ＡＰは、前述の手順に従って新たな一次チャネルを選択し、または、同一の２ＭＨｚの帯域幅（１ＭＨｚチャネルのペア、またはチャネルペア）内でデフォルトチャネルに単に移行することができる。２ＭＨｚで動作しているＡＰは大抵、たとえば、第１のチャネルを選択することによって、一次チャネルをデフォルトチャネルに設定することができ、このときＢＳＳは動作していない。
【００５５】
送信の延期は、送信帯域幅に対する受信範囲内で発生する。したがって、２ＭＨｚの送信の延期は、１ＭＨｚの送信の延期よりも小さい範囲内で発生し得る。ＡＰから１ＭＨｚのパケットのみを受信し得るリモートＳＴＡは、ＡＰからの２ＭＨｚ送信から隠され得る（ＳＩＧ／ＮＡＶの延期なし、エネルギー検出のみ）。ＡＰが２ＭＨｚのパケットを送信する場合、他のリモートＳＴＡは、いずれにしても送信を開始し、コリジョンを引き起こし得る。したがって、ＡＰは、２ＭＨｚモードを使用し、リモートＳＴＡもカバーされるようにより大きな出力を使用し得る。さらに、ＡＰは、２ＭＨｚの送信の前に、１ＭＨｚ送信要求（ＲＴＳ）／ＣＴＳ（ｃｌｅａｒ  ｔｏ  ｓｅｎｄ）メッセージを送信することができる。
【００５６】
図４は、一次チャネルを決定し一次チャネルで送信するための例示的な動作４００のブロック図である。動作４００は、ＡＰのような装置によって実行され得る。４０２において、ＡＰは、複数のチャネルペアをスキャンすることができ、ここにおいて、チャネルペアの各々は、第１のチャネル指定を有する第１のチャネルと第２のチャネル指定を有する第２のチャネルとを備える。４０４において、ＡＰは、いずれの他の装置も動作していない複数のチャネルペアからオープンチャネルのセットを、スキャンに基づいて、決定することができる。４０６において、ＡＰは、決定に基づいて一次チャネルを選択することができる。選択は、（１）オープンチャネルのセットの１つが第１のチャネル指定を有する場合、オープンチャネルのセットのその１つを一次チャネルとして選択すること、（２）オープンチャネルのいずれのセットも第１のチャネル指定を有さない場合、一次チャネルとして第２のチャネル指定を有するオープンチャネルのセットの１つを選択すること、または、（３）オープンチャネルのセットが空のセットである場合、一次チャネルとして複数のチャネルペアの１つから第１のチャネルを選択することを備え得る。４０８において、ＡＰは、選択された一次チャネルを使用して送信することができる。
【００５７】
いくつかの態様では、第１のチャネルおよび第２のチャネルの各々は、約１ＭＨｚというチャネル幅を有する。複数のチャネルペアの各々は、約２ＭＨｚという帯域幅を有し得る。いくつかの態様によれば、第１のチャネル指定はデフォルトチャネルを示し、第２のチャネル指定は非デフォルトチャネルを示し得る。いくつかの態様では、複数のチャネルペアの各々の中の第１のチャネルは、複数のチャネルペアの各々の中の第２のチャネルよりも下側の帯域幅を占有する。いくつかの態様では、オープンチャネルのセットを決定することは、検出されたエネルギーが閾値よりも低い（または閾値以下である）第１のチャネルと第２のチャネルのいずれかがオープンチャネルのセットに追加されるように、複数のチャネルペアの各々の第１のチャネルおよび第２のチャネルにおいてエネルギーを検出することを含み得る。
【００５８】
いくつかの態様によれば、複数のチャネルペアの各々において、第１のチャネルは奇数チャネルであり、第２のチャネルは偶数チャネルである。動作４００はさらに、複数のチャネルペアの１つの中の奇数チャネルまたは偶数チャネルで送信を受信することと、複数のチャネルペアの同じ１つの中の奇数チャネルと偶数チャネルの両方で送信の受信を確認することとを含んでよく、偶数チャネルは奇数チャネルよりも高い帯域幅を占有する。
【００５９】
いくつかの態様では、動作４００はさらに、選択された一次チャネルと関連付けられるチャネルペアを使用して装置を検出すること、ここにおいて、選択された一次チャネルが第２のチャネル指定を有する、検出することと、新たな一次チャネルを選択することとを含み得る。新たな一次チャネルを選択することは、チャネルペアの第１のチャネルを新たな一次チャネルとして選択することと、オープンチャネルのセットのからの１つのメンバーが、第１のチャネル指定を有する場合、その１つのメンバーを新たな一次チャネルとしてオープンチャネルのセットから選択すること、オープンチャネルのセットからのいずれのメンバーも第１のチャネル指定を有さない場合、新たな一次チャネルとして、第２のチャネル指定を有する１つのメンバーをオープンチャネルのセットから選択すること、または、オープンチャネルのセットが空のセットである場合、新たな一次チャネルとして、他の装置によって使用されているチャネルペア以外の複数のチャネルペアの１つから第１のチャネルを選択することを含み得る。
【００６０】
図５は、チャネルペアで送信し受信するための例示的な動作５００のブロック図である。動作５００は、ＡＰのような第１の装置によって実行され得る。５０２において、第１の装置は、チャネルペアの第１のチャネルを使用して第１の送信を送信することができ、チャネルペアは、第１のチャネルと第２のチャネルとを備える。５０４において、第１の装置は、第２の装置（たとえば、異なるＢＳＳに属する別のＡＰ）から第２の送信を受信することができ、ここにおいて、第２の送信は、チャネルペアの第１と第２のチャネルの両方で受信される、ここにおいて、第１と第２のチャネルの１つは、第２の装置に対する一次チャネルとして指定される、および、ここにおいて、第２の送信は、第１のチャネルまたは第２のチャネルが一次チャネルとして指定されるかどうかに関係なく受信される。いくつかの態様によれば、動作５００は、少なくとも第２の送信の受信の期間、ワイヤレス媒体にアクセスするのを控えることを伴い得る。
【００６１】
いくつかの態様では、動作５００はさらに、第１のチャネルが第２の装置に対する二次チャネルとして指定されると判定することと、判定に基づいて第１のチャネルに対する動作を終了することとを含み得る。動作５００はまた、第３の装置から、第１のチャネルが第２の装置の二次チャネルとして指定されることを示すメッセージを受信することを含み得る。判定は、第３の装置から受信されるメッセージに基づき得る。動作５００はまた、終了の後、同一のチャネルペアの第２のチャネルで、または、異なるチャネルペアの第１のチャネルまたは第２のチャネルで、第３の送信を送信することを含み得る。
【００６２】
いくつかの態様によれば、第１のチャネルはチャネルペアの偶数チャネルであり、第２のチャネルはチャネルペアの奇数チャネルであり、偶数チャネルは奇数チャネルよりも高い帯域幅を占有する。第１のチャネルと第２のチャネルの各々は約１ＭＨｚというチャネル幅を有してよく、チャネルペアは約２ＭＨｚという帯域幅を有してよい。
【００６３】
図６は、一次チャネルを選択するための例示的な動作６００のブロック図である。動作６００は、ＡＰのような第１の装置によって実行され得る。６０２において、第１の装置は、複数のチャネルペアをスキャンすることができ、ここにおいて、チャネルペアの各々が、第１のチャネルと第２のチャネルとを備える。６０４において、第１の装置は、スキャンに基づいて、第１のチャネルまたは第２のチャネルを一次チャネルとして複数のチャネルペアの１つから選択することができる。６０４におけるこの選択は、第２の装置（たとえば、異なるＢＳＳに属する別のＡＰ）に対する二次チャネルを、第１の装置に対する一次チャネルとして選択するのを避けることを伴う。言い換えると、一次チャネルは、第１の装置に通信可能に結合された（たとえば、ワイヤレス媒体またはバックホールを介して）第２の装置の二次チャネルと同一ではない。６０６において、第１の装置は、選択された一次チャネルを使用して送信することができる。いくつかの態様によれば、動作６００はさらに、第２の装置からの送信を受信することを含み得る。送信は、複数のチャネルペアの１つの第１のチャネルと第２のチャネルの両方で同時に受信され得る。
【００６４】
いくつかの態様では、第１のチャネルおよび第２のチャネルの各々は、約１ＭＨｚというチャネル幅を有する。複数のチャネルペアの各々は、約２ＭＨｚという帯域幅を有し得る。
【００６５】
上で説明された方法の様々な動作は、対応する機能を実行することが可能な任意の好適な手段によって実行され得る。それらの手段は、限定はされないが、回路、特定用途向け集積回路（ＡＳＩＣ）、またはプロセッサを含む、様々なハードウェアおよび／またはソフトウェアのコンポーネントおよび／またはモジュールを含み得る。一般に、図に示される動作がある場合、それらの動作は、同様の番号をもつ対応する同等のミーンズプラスファンクションコンポーネントを有し得る。たとえば、図４に示される動作４００は、図４Ａに示される手段４００Ａに対応する。
【００６６】
たとえば、送信するための手段は、図２に示されるアクセスポイント１１０の送信機（たとえば、送信機ユニット２２２）および／またはアンテナ２２４、または図３に示される送信機３１０および／またはアンテナ３１６を備え得る。受信するための手段は、図２に示されるアクセスポイント１１０の受信機（たとえば、受信機ユニット２２２）および／またはアンテナ２２４、または図３に示される受信機３１２および／またはアンテナ３１６を備え得る。処理するための手段、決定するための手段、検出するための手段、スキャンするための手段、選択するための手段、または動作を終了するための手段は、図２に示されたアクセスポイント１１０のＲＸデータプロセッサ２４２、ＴＸデータプロセッサ２１０、および／もしくはコントローラ２３０、または、図３で表されたプロセッサ３０４および／もしくはＤＳＰ３２０のような、１つまたは複数のプロセッサを含み得る、処理システムを備え得る。
【００６７】
本明細書で使用される「判定すること」という用語は、多種多様な動作を包含する。たとえば、「判定すること」は、計算すること、算出すること、処理すること、導出すること、調査すること、探索すること（たとえば、テーブル、データベースまたは別のデータ構造の中で探索すること）、確認することなどを含み得る。また、「判定すること」は、受信すること（たとえば、情報を受信すること）、アクセスすること（たとえば、メモリ中のデータにアクセスすること）などを含み得る。また、「判定すること」は、解決すること、選択すること、選出すること、確立することなどを含み得る。
【００６８】
本明細書で使用される、項目のリスト「のうちの少なくとも１つ」を指す句は、単一のメンバーを含む、それらの項目の任意の組合せを指す。一例として、「ａ、ｂまたはｃのうちの少なくとも１つ」は、ａ、ｂ、ｃ、ａ−ｂ、ａ−ｃ、ｂ−ｃおよびａ−ｂ−ｃを含むものとする。
【００６９】
本開示に関連して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタ論理、個別ハードウェアコンポーネント、あるいは本明細書で説明された機能を実行するように設計されたそれらの任意の組合せを用いて、実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００７０】
本開示に関連して説明された方法またはアルゴリズムのステップは、ハードウェアで直接実施されるか、プロセッサによって実行されるソフトウェアモジュールで実施されるか、またはその２つの組合せで実施され得る。ソフトウェアモジュールは、当技術分野で知られている任意の形式の記憶媒体内に常駐し得る。使用され得る記憶媒体のいくつかの例には、ランダムアクセスメモリ（ＲＡＭ）、読取り専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭなどがある。ソフトウェアモジュールは、単一の命令、または多数の命令を備えてよく、いくつかの異なるコードセグメント上で、異なるプログラム間で、および複数の記憶媒体にわたって分散され得る。記憶媒体は、プロセッサがその記憶媒体から情報を読み取ることができその記憶媒体に情報を書き込むことができるように、プロセッサに結合され得る。代替として、記憶媒体はプロセッサと一体化され得る。
【００７１】
本明細書で開示される方法は、説明された方法を達成するための１つまたは複数のステップまたは動作を備える。本方法のステップおよび／または動作は、特許請求の範囲から逸脱することなく互いに交換され得る。言い換えると、ステップまたは動作の具体的な順序が指定されない限り、具体的なステップおよび／または動作の順序および／または使用は特許請求の範囲から逸脱することなく変更され得る。
【００７２】
説明された機能は、ハードウェア、ソフトウェア、ファームウェア、またはそれらの任意の組合せで実装され得る。ハードウェアで実装される場合、例示的なハードウェア構成はワイヤレスノード中に処理システムを備え得る。処理システムは、バスアーキテクチャを用いて実装され得る。バスは、処理システムの具体的な適用例および全体的な設計制約に応じて、任意の数の相互接続バスとブリッジとを含み得る。バスは、プロセッサと、機械可読媒体と、バスインターフェースとを含む様々な回路を互いにリンクし得る。バスインターフェースは、ネットワークアダプタを、特に、バスを介して処理システムに接続するために使用され得る。ネットワークアダプタは、ＰＨＹ層の信号処理機能を実装するために使用され得る。ユーザ端末１２０（図１参照）の場合、ユーザインターフェース（たとえば、キーパッド、ディスプレイ、マウス、ジョイスティックなど）もまたバスに接続され得る。バスはまた、タイミングソース、周辺機器、電圧調整器、電力管理回路などの様々な他の回路にリンクし得るが、それらは当技術分野でよく知られており、したがってこれ以上は説明されない。
【００７３】
プロセッサは、機械可読媒体に格納されたソフトウェアの実行を含む、バスおよび一般的な処理を管理することを担い得る。プロセッサは、１つまたは複数の汎用および／または専用プロセッサを用いて実装され得る。例としては、マイクロプロセッサ、マイクロコントローラ、ＤＳＰプロセッサ、およびソフトウェアを実行し得る他の回路がある。ソフトウェアは、ソフトウェア、ファームウェア、ミドルウェア、マイクロコード、ハードウェア記述言語などの名称にかかわらず、命令、データ、またはそれらの任意の組合せを意味すると広く解釈されるべきである。機械可読媒体は、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（電気消去可能プログラマブル読取り専用メモリ）、レジスタ、磁気ディスク、光ディスク、ハードドライブ、または他の好適な記憶媒体、あるいはそれらの任意の組合せを含み得る。機械可読媒体は、コンピュータプログラム製品において具現化され得る。コンピュータプログラム製品は、パッケージング材料を備え得る。
【００７４】
ハードウェア実装形態では、機械可読媒体は、プロセッサとは別個の処理システムの一部であり得る。しかしながら、当業者が容易に理解するように、機械可読媒体またはその任意の部分は処理システムの外部に存在し得る。例として、機械可読媒体は、すべてがバスインターフェースを介してプロセッサによってアクセスされ得る、伝送線路、データによって変調された搬送波、および／またはワイヤレスノードとは別個のコンピュータ製品を含み得る。代替的に、または追加で、機械可読媒体またはその任意の部分は、キャッシュおよび／または汎用レジスタファイルがそうであり得るように、プロセッサに統合され得る。
【００７５】
処理システムは、すべてが外部バスアーキテクチャを介して他の支援する回路と互いにリンクされる、プロセッサ機能を提供する１つまたは複数のマイクロプロセッサと、機械可読媒体の少なくとも一部を提供する外部メモリとをもつ汎用処理システムとして構成され得る。代替的に、処理システムは、プロセッサをもつＡＳＩＣ（特定用途向け集積回路）と、バスインターフェースと、アクセス端末の場合はユーザインターフェースと、サポート回路と、単一のチップに統合された機械可読媒体の少なくとも一部分とを用いて、あるいは１つまたは複数のＦＰＧＡ（フィールドプログラマブルゲートアレイ）、ＰＬＤ（プログラマブル論理デバイス）、コントローラ、状態機械、ゲート論理、個別ハードウェアコンポーネント、もしくは他の好適な回路、または本開示全体にわたって説明された様々な機能を実行し得る回路の任意の組合せを用いて、実装され得る。当業者は、具体的な適用例と、全体的なシステムに課される全体的な設計制約とに応じて、処理システムについて説明された機能を最適に実装する方法を理解されよう。
【００７６】
機械可読媒体は、いくつかのソフトウェアモジュールを備え得る。ソフトウェアモジュールは、プロセッサによって実行されたときに、処理システムに様々な機能を実行させる命令を含む。ソフトウェアモジュールは、送信モジュールと受信モジュールとを含み得る。各ソフトウェアモジュールは、単一の記憶デバイス中に常駐するか、または複数の記憶デバイスにわたって分散され得る。例として、トリガイベントが発生したとき、ソフトウェアモジュールがハードドライブからＲＡＭにロードされ得る。ソフトウェアモジュールの実行中、プロセッサは、アクセス速度を高めるために、命令のいくつかをキャッシュにロードし得る。次いで、１つまたは複数のキャッシュラインが、プロセッサによる実行のために汎用レジスタファイルにロードされ得る。以下でソフトウェアモジュールの機能に言及する場合、そのような機能は、そのソフトウェアモジュールからの命令を実行したときにプロセッサによって実装されることが理解されよう。
【００７７】
ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは、命令またはデータ構造の形態の所望のプログラムコードを搬送または記憶するために使用されコンピュータによってアクセスされ得る、任意の他の媒体を備え得る。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線（ＩＲ）、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。したがって、いくつかの態様では、コンピュータ可読媒体は、非一時的なコンピュータ可読媒体（たとえば、有形媒体）を備え得る。さらに、他の態様では、コンピュータ可読媒体は、一時的なコンピュータ可読媒体（たとえば、信号）を備え得る。上記の組合せもコンピュータ可読媒体の範囲内に含まれるべきである。
【００７８】
したがって、いくつかの態様は、本明細書で提示される動作を実行するためのコンピュータプログラム製品を備え得る。たとえば、そのようなコンピュータプログラム製品は、本明細書で説明される動作を実行するために１つまたは複数のプロセッサによって実行可能である命令を記憶した（かつ／または符号化した）コンピュータ可読媒体を備え得る。いくつかの態様では、コンピュータプログラム製品はパッケージング材料を含み得る。
【００７９】
さらに、本明細書で説明された方法と技法とを実行するためのモジュールおよび／または他の適切な手段は、適宜、ユーザ端末および／または基地局によってダウンロードされ、かつ／または他の方法で取得され得ることを諒解されたい。たとえば、本明細書で説明された方法を実行するための手段の転送を可能にするために、そのようなデバイスはサーバに結合され得る。代替的に、本明細書で説明される様々な方法は、ユーザ端末および／または基地局がストレージ手段をデバイスに結合するかまたは与えると様々な方法を得ることができるように、記憶手段（たとえば、ＲＡＭ、ＲＯＭ、コンパクトディスク（ＣＤ）またはフロッピーディスクのような物理記憶媒体など）を介して提供され得る。その上、本明細書で説明される方法と技法とをデバイスに与えるための任意の他の適切な技法が利用され得る。
【００８０】
特許請求の範囲は、上で示された厳密な構成およびコンポーネントに限定されないことを理解されたい。上で説明された方法および装置の構成、動作および詳細において、特許請求の範囲から逸脱することなく、様々な改変、変更および変形が行われ得る。
【図１】
2016048926.tif 000003
【図２】
2016048926.tif 000004
【図３】
2016048926.tif 000005
【図４】
2016048926.tif 000006
【図４Ａ】
2016048926.tif 000007
【図５】
2016048926.tif 000008
【図５Ａ】
2016048926.tif 000009
【図６】
2016048926.tif 000010
【図６Ａ】
2016048926.tif 000011
【手続補正書】
【提出日】平成27年11月6日(2015.11.6)
【手続補正１】
【補正対象書類名】特許請求の範囲
【補正対象項目名】全文
【補正方法】変更
【補正の内容】
【特許請求の範囲】
【請求項１】
ワイヤレス通信のための第１の装置であって、
複数のチャネルペアをスキャンすること、ここにおいて、前記チャネルペアの各々は、第１のチャネルと第２のチャネルとを備える、ここにおいて、前記第１のチャネルおよび第２のチャネルの各々が約１ＭＨｚというチャネル幅を有し、前記複数のチャネルペアの各々が約２ＭＨｚという帯域幅を有する、および
前記スキャンに基づいて、一次チャネルが前記第１の装置に通信可能に結合される第２の装置の二次チャネルと同一ではないように、前記一次チャネルとして前記複数のチャネルペアの１つから前記第１のチャネルまたは前記第２のチャネルを選択すること、
を実施するように構成される処理システムと、および、
前記選択された一次チャネルを使用して送信するように構成される送信機と、
を備える、上記第１の装置。
【請求項２】
前記第２の装置からの送信を受信するように構成される受信機をさらに備え、前記送信が、前記複数のチャネルペアの１つの前記第１のチャネルと第２のチャネルの両方で同時に受信される、請求項１に記載の第１の装置。
【請求項３】
ワイヤレス通信のための方法であって、
第１の装置において複数のチャネルペアをスキャンすること、ここにおいて、前記チャネルペアの各々は、第１のチャネルと第２のチャネルとを備える、ここにおいて、前記第１のチャネルおよび第２のチャネルの各々が約１ＭＨｚというチャネル幅を有し、前記複数のチャネルペアの各々が約２ＭＨｚという帯域幅を有する、
前記スキャンに基づいて、一次チャネルが前記第１の装置に通信可能に結合される第２の装置の二次チャネルと同一ではないように、前記一次チャネルとして前記複数のチャネルペアの１つから前記第１のチャネルまたは前記第２のチャネルを選択すること、および、
前記選択された一次チャネルを使用して送信すること、
とを備える上記方法。
【請求項４】
前記第２の装置からの送信を受信することをさらに備え、前記送信が、前記複数のチャネルペアの１つの前記第１のチャネルと第２のチャネルの両方で同時に受信される、請求項３に記載の方法。
【請求項５】
ワイヤレス通信のための第１の装置であって、
複数のチャネルペアをスキャンするための手段と、ここにおいて、前記チャネルペアの各々は第１のチャネルと第２のチャネルとを備える、ここにおいて、前記第１のチャネルおよび第２のチャネルの各々が約１ＭＨｚというチャネル幅を有し、前記複数のチャネルペアの各々が約２ＭＨｚという帯域幅を有する、
一次チャネルが前記第１の装置に通信可能に結合される第２の装置の二次チャネルと同一ではないように、前記一次チャネルとして前記複数のチャネルペアの１つから前記第１のチャネルまたは前記第２のチャネルを、前記スキャンに基づいて、選択するための手段と、および、
前記選択された一次チャネルを使用して送信するための手段と、
を備える、上記第１の装置。
【請求項６】
前記第２の装置からの送信を受信するための手段をさらに備え、前記送信が、前記複数のチャネルペアの１つの前記第１のチャネルと第２のチャネルの両方で同時に受信される、請求項５に記載の第１の装置。
【請求項７】
非一時的なコンピュータ可読媒体を備える、ワイヤレス通信のためのコンピュータプログラム製品であって、前記非一時的なコンピュータ可読媒体が、
第１の装置において複数のチャネルペアをスキャンすること、ここにおいて、前記チャネルペアの各々は、第１のチャネルと第２のチャネルとを備える、ここにおいて、前記第１のチャネルおよび第２のチャネルの各々が約１ＭＨｚというチャネル幅を有し、前記複数のチャネルペアの各々が約２ＭＨｚという帯域幅を有する、
前記スキャンに基づいて、一次チャネルが、前記第１の装置に通信可能に結合される第２の装置の二次チャネルと同一ではないように、前記一次チャネルとして前記複数のチャネルペアの１つから前記第１のチャネルまたは前記第２のチャネルを選択すること、および、
前記選択された一次チャネルを使用して送信すること、
を実行可能な命令を備える、上記コンピュータプログラム製品。
【請求項８】
アクセスポイントであって、
少なくとも１つのアンテナと、
複数のチャネルペアをスキャンすることと、ここにおいて、前記チャネルペアの各々は、第１のチャネルと第２のチャネルとを備える、ここにおいて、前記第１のチャネルおよび第２のチャネルの各々が約１ＭＨｚというチャネル幅を有し、前記複数のチャネルペアの各々が約２ＭＨｚという帯域幅を有する、
前記スキャンに基づいて、一次チャネルが、前記アクセスポイントに通信可能に結合される装置の二次チャネルと同一ではないように、前記一次チャネルとして前記複数のチャネルペアの１つから前記第１のチャネルまたは前記第２のチャネルを選択することと、
をするように構成される処理システムと、および、
前記少なくとも１つのアンテナを介して、前記選択された一次チャネルを使用して送信するように構成される送信機と、
を備える上記アクセスポイント。
【手続補正２】
【補正対象書類名】明細書
【補正対象項目名】００８０
【補正方法】変更
【補正の内容】
【００８０】
特許請求の範囲は、上で示された厳密な構成およびコンポーネントに限定されないことを理解されたい。上で説明された方法および装置の構成、動作および詳細において、特許請求の範囲から逸脱することなく、様々な改変、変更および変形が行われ得る。
以下に、本願出願の当初の特許請求の範囲に記載された発明を付記する。
［Ｃ１］
ワイヤレス通信のための装置であって、
下記を実施するように構成された処理システムと、
複数のチャネルペアをスキャンすること、ここにおいて、前記複数のチャネルペアの各々が、第１のチャネル指定を有する第１のチャネルと第２のチャネル指定を有する第２のチャネルとを備え、
いずれの他の装置も動作していない前記複数のチャネルペアからオープンチャネルのセットを、前記スキャンに基づいて、決定し、
前記決定に基づいて一次チャネルを選択すること、ここにおいて、前記選択は、
オープンチャネルの前記セットからの１つのメンバーが、前記第１のチャネル指定を有する場合、前記１つのメンバーを前記一次チャネルとして選択すること、
オープンチャネルの前記セットからのいずれのメンバーも前記第１のチャネル指定を有さない場合、前記一次チャネルとして、前記第２のチャネル指定を有するオープンチャネルの前記セットから１つのメンバーを選択すること、または、
オープンチャネルの前記セットが空のセットである場合、前記一次チャネルとして、前記複数のチャネルペアの１つから前記第１のチャネルを選択すること、
を備える、そして、
前記選択された一次チャネルを使用して送信するように構成された送信機と、
を備える上記装置。
［Ｃ２］
前記第１のチャネルおよび第２のチャネルの各々が約１ＭＨｚというチャネル幅を有し、前記複数のチャネルペアの各々が約２ＭＨｚという帯域幅を有する、Ｃ１に記載の装置。
［Ｃ３］
前記第１のチャネル指定がデフォルトチャネルを示し、前記第２のチャネル指定が非デフォルトチャネルを示す、Ｃ１に記載の装置。
［Ｃ４］
前記複数のチャネルペアの各々の中の前記第１のチャネルが、前記複数のチャネルペアの各々の中の前記第２のチャネルよりも下側の帯域幅を占有する、Ｃ１に記載の装置。
［Ｃ５］
前記複数のチャネルペアの各々において、前記第１のチャネルが奇数チャネルであり、前記第２のチャネルが偶数チャネルである、Ｃ１に記載の装置。
［Ｃ６］
前記複数のチャネルペアの１つの中の前記奇数チャネルまたは前記偶数チャネルで送信を受信するように構成される受信機をさらに備え、前記受信機が、前記複数のチャネルペアの同じ１つの中の前記奇数チャネルと前記偶数チャネルの両方で前記送信の受信を確認するように構成され、前記偶数チャネルが前記奇数チャネルよりも高い帯域幅を占有する、Ｃ５に記載の装置。
［Ｃ７］
前記選択された一次チャネルが前記第２のチャネル指定を有し、前記処理システムがさらに、
前記選択された一次チャネルと関連付けられるチャネルペアを使用して別の装置を検出し、
新たな一次チャネルを選択するように構成され、前記新たな一次チャネルの前記選択が、
前記チャネルペアの前記第１のチャネルを前記新たな一次チャネルとして選択すること、
オープンチャネルの前記セットの１つのメンバーが前記第１のチャネル指定を有する場合、前記１つのメンバーを前記新たな一次チャネルとしてオープンチャネルの前記セットから選択すること、
オープンチャネルの前記セットのいずれのメンバーも前記第１のチャネル指定を有さない場合、前記第２のチャネル指定を有する１つのメンバーを前記新たな一次チャネルとしてオープンチャネルの前記セットから選択すること、または、
オープンチャネルの前記セットが空である場合、前記第１のチャネルを前記新たな一次チャネルとして、他の装置によって使用されている前記チャネルペア以外の前記複数のチャネルペアの１つから選択することを備える、Ｃ１に記載の装置。
［Ｃ８］
前記処理システムが、検出されたエネルギーが閾値よりも低い、または閾値以下である、前記第１のチャネルと第２のチャネルのいずれかがオープンチャネルの前記セットに追加されるように、前記複数のチャネルペアの各々の前記第１のチャネルおよび第２のチャネルにおいてエネルギーを検出することによって、オープンチャネルの前記セットを決定するように構成される、Ｃ１に記載の装置。
［Ｃ９］
ワイヤレス通信のための方法であって、
複数のチャネルペアをスキャンする、ここにおいて、前記チャネルペアの各々が、第１のチャネル指定を有する第１のチャネルと第２のチャネル指定を有する第２のチャネルとを備える、
いずれの他の装置も動作していない前記複数のチャネルペアからオープンチャネルのセットを、前記スキャンに基づいて、決定することと、
前記決定に基づいて一次チャネルを選択すること、ここにおいて、前記選択は、
オープンチャネルの前記セットからの１つのメンバーが、前記第１のチャネル指定を有する場合、前記一次チャネルとして前記１つのメンバーを選択すること、
オープンチャネルの前記セットからのいずれのメンバーも前記第１のチャネル指定を有さない場合、前記一次チャネルとして前記第２のチャネル指定を有するオープンチャネルの前記セットから１つのメンバーを選択すること、または、
オープンチャネルの前記セットが空のセットである場合、前記一次チャネルとして前記複数のチャネルペアの１つから前記第１のチャネルを選択すること、
を備える、そして、
前記選択された一次チャネルを使用して送信することと、
を備える上記方法。
［Ｃ１０］
前記第１のチャネルおよび第２のチャネルの各々が約１ＭＨｚというチャネル幅を有し、前記複数のチャネルペアの各々が約２ＭＨｚという帯域幅を有する、Ｃ９に記載の方法。
［Ｃ１１］
前記第１のチャネル指定がデフォルトチャネルを示し、前記第２のチャネル指定が非デフォルトチャネルを示す、Ｃ９に記載の方法。
［Ｃ１２］
前記複数のチャネルペアの各々の中の前記第１のチャネルが、前記複数のチャネルペアの各々の中の前記第２のチャネルよりも下側の帯域幅を占有する、Ｃ９に記載の方法。
［Ｃ１３］
前記複数のチャネルペアの各々において、前記第１のチャネルが奇数チャネルであり、前記第２のチャネルが偶数チャネルである、Ｃ９に記載の方法。
［Ｃ１４］
前記複数のチャネルペアの１つの中の前記奇数チャネルまたは前記偶数チャネルで送信を受信することと、
前記複数のチャネルペアの同じ１つの中の前記奇数チャネルと前記偶数チャネルの両方で前記送信の受信を確認することとをさらに備え、前記偶数チャネルが前記奇数チャネルよりも高い帯域幅を占有する、Ｃ１３に記載の方法。
［Ｃ１５］
前記選択された一次チャネルと関連付けられるチャネルペアを使用して装置を検出することであって、前記選択された一次チャネルが前記第２のチャネル指定を有する、検出することと、
前記チャネルペアの前記第１のチャネルを新たな一次チャネルとして選択すること、
オープンチャネルの前記セットの１つのメンバーが前記第１のチャネル指定を有する場合、前記１つのメンバーを前記新たな一次チャネルとしてオープンチャネルの前記セットから選択すること、
オープンチャネルの前記セットのいずれのメンバーも前記第１のチャネル指定を有さない場合、前記第２のチャネル指定を有する１つのメンバーを前記新たな一次チャネルとしてオープンチャネルの前記セットから選択すること、または、
オープンチャネルの前記セットが空である場合、前記第１のチャネルを前記新たな一次チャネルとして、他の装置によって使用されている前記チャネルペア以外の前記複数のチャネルペアの１つから選択すること
によって前記新たな一次チャネルを選択することとをさらに備える、Ｃ９に記載の方法。
［Ｃ１６］
オープンチャネルの前記セットを決定することが、検出されたエネルギーが閾値よりも低い、または前記閾値以下である、前記第１のチャネルと第２のチャネルのいずれかがオープンチャネルの前記セットに追加されるように、前記複数のチャネルペアの各々の前記第１のチャネルおよび第２のチャネルにおいてエネルギーを検出することを備える、Ｃ９に記載の方法。
［Ｃ１７］
ワイヤレス通信のための装置であって、
複数のチャネルペアをスキャンするための手段と、ここにおいて、前記チャネルペアの各々は、第１のチャネル指定を有する第１のチャネルと第２のチャネル指定を有する第２のチャネルとを備える、
いずれの他の装置も動作していない前記複数のチャネルペアからオープンチャネルのセットを、前記スキャンに基づいて、決定するための手段と、
前記決定に基づいて一次チャネルを選択するための手段と、ここにおいて、前記選択は、
オープンチャネルの前記セットからの１つのメンバーが、前記第１のチャネル指定を有する場合、前記一次チャネルとして前記１つのメンバーを選択すること、
オープンチャネルの前記セットからいずれのメンバーも前記第１のチャネル指定を有さない場合、前記一次チャネルとして前記第２のチャネル指定を有するオープンチャネルの前記セットから１つのメンバーを選択すること、または、
オープンチャネルの前記セットが空のセットである場合、前記一次チャネルとして前記複数のチャネルペアの１つから前記第１のチャネルを選択すること、
を備える、そして、
前記選択された一次チャネルを使用して送信するための手段と、
を備える上記装置。
［Ｃ１８］
前記第１のチャネルおよび第２のチャネルの各々が約１ＭＨｚというチャネル幅を有し、前記複数のチャネルペアの各々が約２ＭＨｚという帯域幅を有する、Ｃ１７に記載の装置。
［Ｃ１９］
前記第１のチャネル指定がデフォルトチャネルを示し、前記第２のチャネル指定が非デフォルトチャネルを示す、Ｃ１７に記載の装置。
［Ｃ２０］
前記複数のチャネルペアの各々の中の前記第１のチャネルが、前記複数のチャネルペアの各々の中の前記第２のチャネルよりも下側の帯域幅を占有する、Ｃ１７に記載の装置。
［Ｃ２１］
前記複数のチャネルペアの各々において、前記第１のチャネルが奇数チャネルであり、前記第２のチャネルが偶数チャネルである、Ｃ１７に記載の装置。
［Ｃ２２］
前記複数のチャネルペアの１つの中の前記奇数チャネルまたは前記偶数チャネルで送信を受信するための手段をさらに備え、前記受信するための手段が、前記複数のチャネルペアの同じ１つの中の前記奇数チャネルと前記偶数チャネルの両方で前記送信の受信を確認するように構成され、前記偶数チャネルが前記奇数チャネルよりも高い帯域幅を占有する、Ｃ２１に記載の装置。
［Ｃ２３］
前記選択された一次チャネルと関連付けられるチャネルペアを使用して別の装置を検出するための手段であって、前記選択された一次チャネルが前記第２のチャネル指定を有する、手段と、
新たな一次チャネルを選択するための手段とをさらに備え、前記新たな一次チャネルの前記選択が、
前記チャネルペアの前記第１のチャネルを前記新たな一次チャネルとして選択すること、
オープンチャネルの前記セットの１つのメンバーが前記第１のチャネル指定を有する場合、前記１つのメンバーを前記新たな一次チャネルとしてオープンチャネルの前記セットから選択すること、
オープンチャネルの前記セットのいずれのメンバーも前記第１のチャネル指定を有さない場合、前記第２のチャネル指定を有する１つのメンバーを前記新たな一次チャネルとしてオープンチャネルの前記セットから選択すること、または、
オープンチャネルの前記セットが空である場合、前記第１のチャネルを前記新たな一次チャネルとして、他の装置によって使用されている前記チャネルペア以外の前記複数のチャネルペアの１つから選択することを備える、Ｃ１７に記載の装置。
［Ｃ２４］
検出されたエネルギーが閾値よりも低い、または前記閾値以下である、前記第１のチャネルと第２のチャネルのいずれかがオープンチャネルの前記セットに追加されるように、オープンチャネルの前記セットを決定するための前記手段が、前記複数のチャネルペアの各々の前記第１のチャネルおよび第２のチャネルにおいてエネルギーを検出するように構成される、Ｃ１７に記載の装置。
［Ｃ２５］
コンピュータ可読媒体を備える、ワイヤレス通信のためのコンピュータプログラム製品であって、前記コンピュータ可読媒体が、
複数のチャネルペアをスキャンすること、ここにおいて、前記チャネルペアの各々が、第１のチャネル指定を有する第１のチャネルと第２のチャネル指定を有する第２のチャネルとを備え、
いずれの他の装置も動作していない前記複数のチャネルペアからオープンチャネルのセットを、前記スキャンに基づいて、決定すること、
前記決定に基づいて一次チャネルを選択すること、ここにおいて、前記選択は、
オープンチャネルの前記セットからの１つのメンバーが、前記第１のチャネル指定を有する場合、前記一次チャネルとして前記１つのメンバーを選択すること、
オープンチャネルの前記セットからのいずれのメンバーも前記第１のチャネル指定を有さない場合、前記一次チャネルとして前記第２のチャネル指定を有するオープンチャネルの前記セットから１つのメンバーを選択すること、または、
オープンチャネルの前記セットが空のセットである場合、前記一次チャネルとして前記複数のチャネルペアの１つから前記第１のチャネルを選択すること、
を備え、そして、
前記選択された一次チャネルを使用して送信することを実行可能な命令を備える、
上記コンピュータプログラム製品。
［Ｃ２６］
ワイヤレス通信のためのアクセスポイントであって、
少なくとも１つのアンテナと、
複数のチャネルペアをスキャンし、ここにおいて、前記チャネルペアの各々が、第１のチャネル指定を有する第１のチャネルと第２のチャネル指定を有する第２のチャネルとを備える、
いずれの他の装置も動作していない前記複数のチャネルペアからオープンチャネルのセットを、前記スキャンに基づいて、決定し、
前記決定に基づいて一次チャネルを選択する、ここにおいて、前記選択は、
オープンチャネルの前記セットからの１つのメンバーが、前記第１のチャネル指定を有する場合、前記一次チャネルとして前記１つのメンバーを選択すること、
オープンチャネルの前記セットからのいずれのメンバーも前記第１のチャネル指定を有さない場合、前記一次チャネルとして前記第２のチャネル指定を有するオープンチャネルの前記セットから１つのメンバーを選択すること、または、
オープンチャネルの前記セットが空のセットである場合、前記一次チャネルとして前記複数のチャネルペアの１つから前記第１のチャネルを選択することと、を備える、
を実行するように構成された処理システムと、そして、
前記少なくとも１つのアンテナを介して、前記選択された一次チャネルを使用して送信するように構成される送信機と、
を備える上記アクセスポイント。
［Ｃ２７］
ワイヤレス通信のための第１の装置であって、
チャネルペアの第１のチャネルを使用して第１の送信を送信するように構成される送信機と、前記チャネルペアは、前記第１のチャネルと第２のチャネルとを備える、および、
第２の装置から第２の送信を受信するように構成される受信機とを備え、
ここにおいて、前記第２の送信は、前記チャネルペアの前記第１と第２のチャネルの両方で受信される、
ここにおいて、前記第１と第２のチャネルの１つは、前記第２の装置に対する一次チャネルとして指定される、および、
ここにおいて、前記受信機は、前記第１のチャネルまたは前記第２のチャネルが前記一次チャネルとして指定されるかどうかに関係なく、前記第２の送信を受信するように構成される、
上記第１の装置。
［Ｃ２８］
前記第１のチャネルが前記第２の装置に対する二次チャネルとして指定されると判定し、
前記判定に基づいて、前記第１のチャネルに対する動作を終了するように構成される、処理システムをさらに備える、Ｃ２７に記載の第１の装置。
［Ｃ２９］
前記受信機が、第３の装置から、前記第１のチャネルが前記第２の装置の前記二次チャネルとして指定されることを示すメッセージを受信するように構成され、前記判定が前記メッセージに基づく、Ｃ２８に記載の第１の装置。
［Ｃ３０］
前記終了の後、前記送信機が、同一のチャネルペアの前記第２のチャネルで、または、異なるチャネルペアの第１のチャネルまたは第２のチャネルで、第３の送信を送信するように構成される、Ｃ２８に記載の第１の装置。
［Ｃ３１］
前記第１のチャネルが前記チャネルペアの偶数チャネルであり、前記第２のチャネルが前記チャネルペアの奇数チャネルであり、前記偶数チャネルが前記奇数チャネルよりも高い帯域幅を占有する、Ｃ２７に記載の第１の装置。
［Ｃ３２］
前記第１のチャネルおよび第２のチャネルの各々が約１ＭＨｚというチャネル幅を有し、前記チャネルペアが約２ＭＨｚという帯域幅を有する、Ｃ２７に記載の第１の装置。
［Ｃ３３］
前記送信機がさらに、少なくとも前記第２の送信の前記受信の期間、ワイヤレス媒体にアクセスするのを控えるように構成される、Ｃ２７に記載の第１の装置。
［Ｃ３４］
ワイヤレス通信のための方法であって、
第１の装置から、チャネルペアの第１のチャネルを使用して第１の送信を送信することと、前記チャネルペアは前記第１のチャネルと第２のチャネルとを備える、および、
第２の装置から第２の送信を受信することとを備え、
ここにおいて、前記第２の送信は、前記チャネルペアの前記第１と前記第２のチャネルの両方で受信される、
ここにおいて、前記第１と第２のチャネルの１つは、前記第２の装置に対する一次チャネルとして指定される、および、
ここにおいて、前記第２の送信は、前記第１のチャネルまたは前記第２のチャネルが前記一次チャネルとして指定されるかどうかに関係なく受信される、
上記方法。
［Ｃ３５］
前記第１のチャネルが前記第２の装置に対する二次チャネルとして指定されると判定することと、
前記判定に基づいて、前記第１のチャネルに対する動作を終了することとをさらに備える、Ｃ３４に記載の方法。
［Ｃ３６］
第３の装置から、前記第１のチャネルが前記第２の装置の前記二次チャネルとして指定されることを示すメッセージを受信することをさらに備え、前記判定が前記メッセージに基づく、Ｃ３５に記載の方法。
［Ｃ３７］
前記終了の後、同一のチャネルペアの前記第２のチャネルで、または、異なるチャネルペアの第１のチャネルまたは第２のチャネルで、第３の送信を送信することをさらに備える、Ｃ３５に記載の方法。
［Ｃ３８］
前記第１のチャネルが前記チャネルペアの偶数チャネルであり、前記第２のチャネルが前記チャネルペアの奇数チャネルであり、前記偶数チャネルが前記奇数チャネルよりも高い帯域幅を占有する、Ｃ３４に記載の方法。
［Ｃ３９］
前記第１のチャネルおよび第２のチャネルの各々が約１ＭＨｚというチャネル幅を有し、前記チャネルペアが約２ＭＨｚという帯域幅を有する、Ｃ３４に記載の方法。
［Ｃ４０］
少なくとも前記第２の送信の前記受信の期間、ワイヤレス媒体にアクセスするのを控えることをさらに備える、Ｃ３４に記載の方法。
［Ｃ４１］
ワイヤレス通信のための第１の装置であって、
チャネルペアの第１のチャネルを使用して第１の送信を送信するための手段と、前記チャネルペアは、前記第１のチャネルと第２のチャネルとを備える、および、
第２の装置から第２の送信を受信するための手段ととを備え、
ここにおいて、前記第２の送信は、前記チャネルペアの前記第１と前記第２のチャネルの両方で受信される、
ここにおいて、前記第１と第２のチャネルの１つは、前記第２の装置に対する一次チャネルとして指定される、および、
ここにおいて、受信するための前記手段は、前記第１のチャネルまたは前記第２のチャネルが前記一次チャネルとして指定されるかどうかに関係なく、前記第２の送信を受信するように構成される、
を備える上記第１の装置。
［Ｃ４２］
前記第１のチャネルが前記第２の装置に対する二次チャネルとして指定されると判定するための手段と、
前記判定に基づいて、前記第１のチャネルに対する動作を終了するための手段とをさらに備える、Ｃ４１に記載の第１の装置。
［Ｃ４３］
前記受信するための手段が、第３の装置から、前記第１のチャネルが前記第２の装置の前記二次チャネルとして指定されることを示すメッセージを受信するように構成され、前記判定が前記メッセージに基づく、Ｃ４２に記載の第１の装置。
［Ｃ４４］
前記終了の後、前記送信するための手段が、同一のチャネルペアの前記第２のチャネルで、または、異なるチャネルペアの第１のチャネルまたは第２のチャネルで、第３の送信を送信するように構成される、Ｃ４２に記載の第１の装置。
［Ｃ４５］
前記第１のチャネルが前記チャネルペアの偶数チャネルであり、前記第２のチャネルが前記チャネルペアの奇数チャネルであり、前記偶数チャネルが前記奇数チャネルよりも高い帯域幅を占有する、Ｃ４１に記載の第１の装置。
［Ｃ４６］
前記第１のチャネルおよび第２のチャネルの各々が約１ＭＨｚというチャネル幅を有し、前記チャネルペアが約２ＭＨｚという帯域幅を有する、Ｃ４１に記載の第１の装置。
［Ｃ４７］
前記送信するための手段がさらに、少なくとも前記第２の送信の前記受信の期間、ワイヤレス媒体にアクセスするのを控えるように構成される、Ｃ４１に記載の第１の装置。
［Ｃ４８］
コンピュータ可読媒体を備える、ワイヤレス通信のためのコンピュータプログラム製品であって、前記コンピュータ可読媒体が、
チャネルペアの第１のチャネルを使用して第１の送信を送信することと、前記チャネルペアは、前記第１のチャネルと第２のチャネルとを備える、および、
装置から第２の送信を受信することとを備え、
ここにおいて、前記第２の送信は、前記チャネルペアの前記第１と前記第２のチャネルの両方で受信される、
ここにおいて、前記第１と第２のチャネルの１つは、前記装置に対する一次チャネルとして指定される、および、
ここにおいて、前記第２の送信は、前記第１のチャネルまたは前記第２のチャネルが前記一次チャネルとして指定されるかどうかに関係なく受信される、
を実行可能な命令を備える、上記コンピュータプログラム製品。
［Ｃ４９］
少なくとも１つのアンテナと、
前記少なくとも１つのアンテナを介して、チャネルペアの第１のチャネルを使用して第１の送信を送信するように構成される送信機と、前記チャネルペアは前記第１のチャネルと第２のチャネルとを備える、および、
前記少なくとも１つのアンテナを介して、装置から第２の送信を受信するように構成される受信機と、
ここにおいて、前記第２の送信は、前記チャネルペアの前記第１と第２のチャネルの両方で受信される、
ここにおいて、前記第１と第２のチャネルの１つは、前記装置に対する一次チャネルとして指定される、および、
ここにおいて、前記受信機は、前記第１のチャネルまたは前記第２のチャネルが前記一次チャネルとして指定されるかどうかに関係なく、前記第２の送信を受信するように構成される、
を備えるアクセスポイント。
［Ｃ５０］
ワイヤレス通信のための第１の装置であって、
複数のチャネルペアをスキャンすること、ここにおいて、前記チャネルペアの各々は、第１のチャネルと第２のチャネルとを備える、および
前記スキャンに基づいて、一次チャネルが前記第１の装置に通信可能に結合される第２の装置の二次チャネルと同一ではないように、前記一次チャネルとして前記複数のチャネルペアの１つから前記第１のチャネルまたは前記第２のチャネルを選択すること、
を実施するように構成される処理システムと、および、
前記選択された一次チャネルを使用して送信するように構成される送信機と、
を備える、上記第１の装置。
［Ｃ５１］
前記第１のチャネルおよび第２のチャネルの各々が約１ＭＨｚというチャネル幅を有し、前記複数のチャネルペアの各々が約２ＭＨｚという帯域幅を有する、Ｃ５０に記載の第１の装置。
［Ｃ５２］
前記第２の装置からの送信を受信するように構成される受信機をさらに備え、前記送信が、前記複数のチャネルペアの１つの前記第１のチャネルと第２のチャネルの両方で同時に受信される、Ｃ５０に記載の第１の装置。
［Ｃ５３］
ワイヤレス通信のための方法であって、
第１の装置において複数のチャネルペアをスキャンすること、ここにおいて、前記チャネルペアの各々は、第１のチャネルと第２のチャネルとを備える、
前記スキャンに基づいて、一次チャネルが前記第１の装置に通信可能に結合される第２の装置の二次チャネルと同一ではないように、前記一次チャネルとして前記複数のチャネルペアの１つから前記第１のチャネルまたは前記第２のチャネルを選択すること、および、
前記選択された一次チャネルを使用して送信すること、
とを備える上記方法。
［Ｃ５４］
前記第１のチャネルおよび第２のチャネルの各々が約１ＭＨｚというチャネル幅を有し、前記複数のチャネルペアの各々が約２ＭＨｚという帯域幅を有する、Ｃ５３に記載の方法。
［Ｃ５５］
前記第２の装置からの送信を受信することをさらに備え、前記送信が、前記複数のチャネルペアの１つの前記第１のチャネルと第２のチャネルの両方で同時に受信される、Ｃ５３に記載の方法。
［Ｃ５６］
ワイヤレス通信のための第１の装置であって、
複数のチャネルペアをスキャンするための手段と、ここにおいて、前記チャネルペアの各々は第１のチャネルと第２のチャネルとを備える、
一次チャネルが前記第１の装置に通信可能に結合される第２の装置の二次チャネルと同一ではないように、前記一次チャネルとして前記複数のチャネルペアの１つから前記第１のチャネルまたは前記第２のチャネルを、前記スキャンに基づいて、選択するための手段と、および、
前記選択された一次チャネルを使用して送信するための手段と、
を備える、上記第１の装置。
［Ｃ５７］
前記第１のチャネルおよび第２のチャネルの各々が約１ＭＨｚというチャネル幅を有し、前記複数のチャネルペアの各々が約２ＭＨｚという帯域幅を有する、Ｃ５６に記載の第１の装置。
［Ｃ５８］
前記第２の装置からの送信を受信するための手段をさらに備え、前記送信が、前記複数のチャネルペアの１つの前記第１のチャネルと第２のチャネルの両方で同時に受信される、Ｃ５６に記載の第１の装置。
［Ｃ５９］
コンピュータ可読媒体を備える、ワイヤレス通信のためのコンピュータプログラム製品であって、前記コンピュータ可読媒体が、
第１の装置において複数のチャネルペアをスキャンすること、ここにおいて、前記チャネルペアの各々は、第１のチャネルと第２のチャネルとを備える、
前記スキャンに基づいて、一次チャネルが、前記第１の装置に通信可能に結合される第２の装置の二次チャネルと同一ではないように、前記一次チャネルとして前記複数のチャネルペアの１つから前記第１のチャネルまたは前記第２のチャネルを選択すること、および、
前記選択された一次チャネルを使用して送信すること、
を実行可能な命令を備える、上記コンピュータプログラム製品。
［Ｃ６０］
アクセスポイントであって、
少なくとも１つのアンテナと、
複数のチャネルペアをスキャンすることと、ここにおいて、前記チャネルペアの各々は、第１のチャネルと第２のチャネルとを備える、
前記スキャンに基づいて、一次チャネルが、前記アクセスポイントに通信可能に結合される装置の二次チャネルと同一ではないように、前記一次チャネルとして前記複数のチャネルペアの１つから前記第１のチャネルまたは前記第２のチャネルを選択することと、
をするように構成される処理システムと、および、
前記少なくとも１つのアンテナを介して、前記選択された一次チャネルを使用して送信するように構成される送信機と、
を備える上記アクセスポイント。
【外国語明細書】
2016048926000001.pdf